(57)【特許請求の範囲】
【請求項１】
利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置と、前記画像提供装置から送信されてくる前記合成画像を、通信ネットワークを介して接続される端末に送信する情報処理装置とからなる情報管理システムであって、
前記画像提供装置は、
前記利用者の操作に応じて、複数の前記合成画像を前記情報処理装置に送信する送信手段
を備え、
前記情報処理装置は、
前記画像提供装置から送信されてくる複数の前記合成画像を、前記合成画像を構成する前記撮影画像と、複数の前記合成用画像を表示するための複数の表示データとに分けて対応付けて管理する管理手段と、
前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示手段と
を備え、
前記撮影画像に合成される複数の前記合成用画像の前記表示データには、他の利用者に対するメッセージを表示するための前記表示データが含まれる
情報管理システム。
【請求項２】
利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置から送信されてくる前記合成画像を、通信ネットワークを介して接続される端末に送信する情報処理装置であって、
前記画像提供装置から送信されてくる複数の前記合成画像を、前記合成画像を構成する前記撮影画像と、複数の前記合成用画像を表示するための複数の表示データとに分けて対応付けて管理する管理手段と、
前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示手段と
を備え、
前記撮影画像に合成される複数の前記合成用画像の前記表示データには、他の利用者に対するメッセージを表示するための前記表示データが含まれる
情報処理装置。
【請求項３】
前記撮影画像に合成される複数の前記合成用画像の前記表示データには、前記合成画像の背景となる背景画像の前記表示データが含まれる
請求項２に記載の情報処理装置。
【請求項４】
前記提示手段は、前記画像提供装置において、前記端末の利用者によって予め選択された複数の合成用画像を、前記表示データの変更により前記合成画像に合成される前記合成用画像の候補として提示する
請求項２または３に記載の情報処理装置。
【請求項５】
前記画像提供装置において、前記端末の前記利用者が新たに撮影を行う際、提示された前記合成画像に合成された前記合成用画像を、前記画像提供装置に送信する送信手段をさらに備える
請求項２または３に記載の情報処理装置。
【請求項６】
利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置から送信されてくる前記合成画像を、通信ネットワークを介して接続される端末に送信する情報処理装置の情報処理方法であって、
前記画像提供装置から送信されてくる複数の前記合成画像を、前記合成画像を構成する前記撮影画像と、複数の前記合成用画像を表示するための複数の表示データとに分けて対応付けて管理する管理ステップと、
前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示ステップと
を含み、
前記撮影画像に合成される複数の前記合成用画像の前記表示データには、他の利用者に対するメッセージを表示するための前記表示データが含まれる
情報処理方法。
【請求項７】
利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置から送信されてくる前記合成画像を、通信ネットワークを介して接続される端末に送信する処理をコンピュータに実行させるプログラムであって、
前記画像提供装置から送信されてくる複数の前記合成画像を、前記合成画像を構成する前記撮影画像と、複数の前記合成用画像を表示するための複数の表示データとに分けて対応付けて管理する管理ステップと、
前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示ステップと
を含む処理をコンピュータに実行させ、
前記撮影画像に合成される複数の前記合成用画像の前記表示データには、他の利用者に対するメッセージを表示するための前記表示データが含まれる
プログラム。
【発明の詳細な説明】
【技術分野】
【０００１】
本発明は、情報管理システム、情報処理装置および方法、並びにプログラムに関し、特に、携帯端末の利用者の満足度を向上させることができるようにする情報管理システム、情報処理装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
近年は、編集作業後、編集済み画像がシール紙に印刷されるまでの待ち時間に行われる事後接客において、撮影画像や編集済み画像をサーバに送信することで、利用者が所有する携帯端末からそのサーバにアクセスし、保存された画像を取得することを可能にした写真シール機がある（例えば、特許文献１参照）。これにより、利用者は、携帯端末で、シール紙に印刷された画像を利用することができるようになっている。
【０００５】
また、サーバに保存されている画像にアクセスするための、携帯端末向けのサイトとして、写真シール機からサーバに送信された画像を１枚だけ閲覧可能とする無料サイトや、サーバに保存されている画像を全て閲覧可能とする有料の会員専用サイトを公開することが行われている（例えば、特許文献２参照）。
【０００６】
また、近年、携帯電話会社（キャリア）によって、携帯電話機でcHTML（Compact Hyper Text Markup Language）形式のメールを編集、送受信可能とするサービスが提供されている。このサービスによれば、Webサイトと同様に、メール本文の文字の着色、サイズ変更、背景色の設定に加え、メール本文に文字以外の静止画像やアニメーション画像を挿入して、メールを装飾することができる。以下、このようにして装飾されるメールを装飾メールといい、装飾メールに挿入される静止画像やアニメーション画像を装飾素材という。この装飾メールは、例えば、時候の挨拶や友達の誕生日のお祝い等として送られるグリーティングカードとして用いられている。
【０００７】
ところで、編集時に、予め用意された複数の編集用合成用画像を選択して組み合わせる他、編集ツールとしてのペンツールによる文字入力や、撮影画像の一部（被写体部分）を利用したスタンプ画像を用いて、装飾メールに挿入される装飾素材を作成する写真シール機が知られている（例えば、特許文献３参照）。
【０００８】
また、端末において、予め用意された複数の編集用合成用画像を選択して組み合わせる他、ペンツールによる文字入力を行うことにより装飾素材を作成してサーバに送信し、サーバにおいて、装飾素材の作成に用いられた編集用合成用画像や文字等のパーツをキーワード（例えば、装飾メールによって伝えたい感情や気分等）毎に分類して管理するようにした装飾素材の配信システムがある。
【先行技術文献】
【特許文献】
【０００９】
【特許文献１】特開２００６−１９１５４７号公報
【特許文献２】特開２００８−１９１７１４号公報
【特許文献３】特開２００７−２２８４３９号公報
【発明の概要】
【発明が解決しようとする課題】
【００１０】
上述した特許文献１，２の技術においては、写真シール機からサーバに送信された撮影画像や編集済み画像は、サーバ上で、その撮影日時に基づいて管理されている。したがって、例えば、特許文献２で開示されている有料の会員専用サイトにおいて、会員登録している利用者が、過去に撮影した画像を携帯端末から検索する際、撮影日時を基に検索するしかなく、所望の画像を容易に検索することができず、携帯端末の利用者の満足度を低下させていた。
【００１１】
また、特許文献３によれば、装飾素材を作成するのに、撮影画像の被写体部分が用いられているので、オリジナリティのある装飾素材を作成することができるが、被写体である利用者は、撮影時に、撮影画像の被写体部分が装飾素材を作成するのに用いられることを意識しておらず、そのような撮影画像から、利用者の満足する装飾素材を作成することは難しかった。したがって、利用者の満足する装飾メールを作成することができず、携帯端末の利用者の満足度を低下させていた。
【００１２】
さらに、装飾素材の作成に用いられた編集用合成用画像や文字等のパーツをキーワード毎に分類して管理するようにした場合、携帯端末で、キーワード毎にパーツを読み出して、そのパーツを組み合わせることで、新たな装飾素材を作成することができる。しかしながら、利用者の画像を用いたオリジナリティのある装飾素材を作成しようとした場合、キーワード毎のパーツに、例えば写真シール機等の他の装置において撮影された撮影画像を組み合わせる必要がある。また、その撮影画像は、装飾素材や装飾メールの形態に合っているとは限らず、利用者の満足する装飾メールを作成することができない場合、携帯端末の利用者の満足度を低下させていた。
【００１３】
本発明は、このような状況に鑑みてなされたものであり、携帯端末の利用者の満足度を向上させることができるようにするものである。
【課題を解決するための手段】
【００１４】
本発明の一側面の情報管理システムは、利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置と、前記画像提供装置から送信されてくる前記合成画像を、通信ネットワークを介して接続される端末に送信する情報処理装置とからなる情報管理システムであって、前記画像提供装置が、前記利用者の操作に応じて、複数の前記合成画像を前記情報処理装置に送信する送信手段を備え、前記情報処理装置が、前記画像提供装置から送信されてくる複数の前記合成画像を、前記合成画像を構成する前記撮影画像と、複数の前記合成用画像を表示するための複数の表示データとに分けて対応付けて管理する管理手段と、前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示手段とを備え、前記撮影画像に合成される複数の前記合成用画像の前記表示データには、他の利用者に対するメッセージを表示するための前記表示データが含まれる。
【００１５】
本発明の一側面の情報処理装置は、利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置から送信されてくる前記合成画像を、通信ネットワークを介して接続される端末に送信する情報処理装置であって、前記画像提供装置から送信されてくる複数の前記合成画像を、前記合成画像を構成する前記撮影画像と、複数の前記合成用画像を表示するための複数の表示データとに分けて対応付けて管理する管理手段と、前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示手段とを備え、前記撮影画像に合成される複数の前記合成用画像の前記表示データには、他の利用者に対するメッセージを表示するための前記表示データが含まれる。
【００１７】
前記撮影画像に合成される複数の前記合成用画像の前記表示データには、前記合成画像の背景となる背景画像の前記表示データが含まれるようにすることができる。
前記提示手段には、前記画像提供装置において、前記端末の利用者によって予め選択された複数の合成用画像を、前記表示データの変更により前記合成画像に合成される前記合成用画像の候補として提示させることができる。
前記画像提供装置において、前記端末の前記利用者が新たに撮影を行う際、提示された前記合成画像に合成された前記合成用画像を、前記画像提供装置に送信する送信手段をさらに設けることができる。
【００１８】
本発明の一側面の情報処理方法は、利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置から送信されてくる前記合成画像を、通信ネットワークを介して接続される端末に送信する情報処理装置の情報処理方法であって、前記画像提供装置から送信されてくる複数の前記合成画像を、前記合成画像を構成する前記撮影画像と、複数の前記合成用画像を表示するための複数の表示データとに分けて対応付けて管理する管理ステップと、前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示ステップとを含み、前記撮影画像に合成される複数の前記合成用画像の前記表示データには、他の利用者に対するメッセージを表示するための前記表示データが含まれる。
【００１９】
本発明の一側面のプログラムは、利用者を被写体として複数回撮影し、得られた複数の撮影画像に合成用画像を合成した合成画像を生成し、１以上の前記合成画像を所定のシール紙に印刷するとともに、１以上の前記合成画像を情報処理装置へ送信する画像提供装置から送信されてくる前記合成画像を、通信ネットワークを介して接続される端末に送信する処理をコンピュータに実行させるプログラムであって、前記画像提供装置から送信されてくる複数の前記合成画像を、前記合成画像を構成する前記撮影画像と、複数の前記合成用画像を表示するための複数の表示データとに分けて対応付けて管理する管理ステップと、前記端末からの要求に応じて、１つの前記撮影画像に対応付けられている少なくとも１つの前記表示データを、他の前記撮影画像に対応付けられている前記表示データに変更し、または、他の前記撮影画像に対応付けられている少なくとも１つの前記表示データを、１つの前記撮影画像に対応付けられている前記表示データに変更し、変更された前記表示データにより表示される前記合成用画像に前記撮影画像を合成した合成画像を提示する提示ステップとを含む処理をコンピュータに実行させ、前記撮影画像に合成される複数の前記合成用画像の前記表示データには、他の利用者に対するメッセージを表示するための前記表示データが含まれる。
【００２０】
本発明の一側面においては、画像提供装置から送信されてくる複数の合成画像が、合成画像を構成する撮影画像と、複数の合成用画像を表示するための複数の表示データとに分けられて対応付けられて管理され、端末からの要求に応じて、１つの撮影画像に対応付けられている少なくとも１つの表示データが、他の撮影画像に対応付けられている表示データに変更され、または、他の撮影画像に対応付けられている少なくとも１つの表示データが、１つの撮影画像に対応付けられている表示データに変更され、変更された表示データにより表示される合成用画像に撮影画像が合成された合成画像が提示される。
【発明の効果】
【００２７】
本発明によれば、携帯端末の利用者の満足度を向上させることが可能となる。
【図面の簡単な説明】
【００２８】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の詳細な構成例を示す機能ブロック図である。
【図１０】撮影処理部の詳細な構成例を示す機能ブロック図である。
【図１１】編集処理部の詳細な構成例を示す機能ブロック図である。
【図１２】写真シール作成ゲームを提供する処理について説明するフローチャートである。
【図１３】撮影処理について説明するフローチャートである。
【図１４】撮影処理について説明するフローチャートである。
【図１５】撮影処理について説明するフローチャートである。
【図１６】通常の背景画像選択画面の例を示す図である。
【図１７】携帯送信後利用画像の撮影のガイダンス画面の例を示す図である。
【図１８】携帯送信後利用画像用の合成用画像選択画面の例を示す図である。
【図１９】携帯送信後利用画像のライブビュー表示画面の例を示す図である。
【図２０】携帯送信後利用画像の撮影結果の例を示す図である。
【図２１】利用者自身が写されている撮影画像を使用した明るさ選択画面の例を示す図である。
【図２２】利用者自身が写されている撮影画像を使用した目サイズ選択画面の例を示す図である。
【図２３】携帯送信後利用画像用の合成用画像選択画面の例を示す図である。
【図２４】携帯送信後利用画像のライブビュー表示画面の例を示す図である。
【図２５】携帯送信後利用画像用の合成用画像選択画面の例を示す図である。
【図２６】携帯送信後利用画像のライブビュー表示画面の例を示す図である。
【図２７】携帯送信後利用画像の撮影結果の例を示す図である。
【図２８】携帯送信後利用画像のライブビュー表示画面の例を示す図である。
【図２９】携帯送信後利用画像の撮影結果の例を示す図である。
【図３０】編集処理について説明するフローチャートである。
【図３１】編集画面の例を示す図である。
【図３２】編集画面の例を示す図である。
【図３３】編集画面の例を示す図である。
【図３４】編集用パレットの例を示す図である。
【図３５】編集用パレットの例を示す図である。
【図３６】編集用パレットの例を示す図である。
【図３７】編集用パレットの例を示す図である。
【図３８】編集用パレットの例を示す図である。
【図３９】編集用パレットの例を示す図である。
【図４０】編集用パレットの例を示す図である。
【図４１】写真シール作成装置を含む情報管理システムの構成例を示すブロック図である。
【図４２】管理サーバの構成例を示すブロック図である。
【図４３】管理サーバの機能構成例を示すブロック図である。
【図４４】携帯端末の構成例を示すブロック図である。
【図４５】図４１の情報管理システムの一連の処理について説明するフローチャートである。
【図４６】携帯送信用画像選択画面の例を示す図である。
【図４７】携帯送信用画像選択画面の例を示す図である。
【図４８】携帯送信用画像選択画面の例を示す図である。
【図４９】管理サーバにより管理されている画像管理情報の構成の例を示す図である。
【図５０】携帯端末の画面表示の例を示す図である。
【図５１】携帯端末の画面表示の例を示す図である。
【図５２】携帯端末の画面表示の例を示す図である。
【図５３】携帯端末の画面表示の例を示す図である。
【図５４】携帯端末の画面表示の例を示す図である。
【図５５】携帯端末の画面表示の例を示す図である。
【図５６】携帯端末の画面表示の例を示す図である。
【図５７】携帯端末の画面表示の例を示す図である。
【図５８】携帯端末の画面表示の例を示す図である。
【図５９】携帯端末の画面表示の例を示す図である。
【図６０】携帯端末の画面表示の例を示す図である。
【図６１】携帯端末の画面表示の例を示す図である。
【図６２】携帯端末の画面表示の例を示す図である。
【図６３】携帯端末の画面表示の例を示す図である。
【図６４】携帯端末の画面表示の例を示す図である。
【図６５】携帯端末の画面表示の例を示す図である。
【図６６】携帯端末の画面表示の例を示す図である。
【図６７】携帯端末の画面表示の例を示す図である。
【図６８】お祝いメールの使えるプリ画の構造について説明する図である。
【図６９】テンプレート画像について説明する図である。
【図７０】お祝いメールの使えるプリ画のデータの構成の例を示す図である。
【図７１】より詳細な画像管理情報の例を示す図である。
【図７２】お祝いメールの使えるプリ画のデータの構成の他の例を示す図である。
【図７３】より詳細な画像管理情報の他の例を示す図である。
【図７４】情報管理システムにおける撮影時のデータの流れについて説明する図である。
【図７５】お祝いメールの使えるプリ画のデータの構成のさらに他の例を示す図である。
【図７６】より詳細な画像管理情報のさらに他の例を示す図である。
【発明を実施するための形態】
【００２９】
以下、本発明を適用した具体的な実施の形態について、図面を参照しながら詳細に説明する。
【００３０】
＜写真シール作成装置の構成とその動作＞
［写真シール作成装置の外観構成］
図１は、本発明の一実施形態に係る写真シール作成装置１の外観の構成例を示す斜視図である。
【００３１】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００３２】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３３】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３４】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３５】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３６】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図２）から構成される。
【００３７】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３８】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３９】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカー
テンを巻き取る。
【００４０】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００４１】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４２】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４３】
図１に示す編集部１２の構成を正面側の構成とすると、２組の利用者が同時に編集処理を行うことができるように、編集部１２の正面側と背面側には編集処理に用いられる構成がそれぞれ設けられる。
【００４４】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００４５】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４６】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４７】
図２は、写真シール作成装置１を別の角度から見た斜視図である。
【００４８】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４９】
図２に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００５０】
ここで、写真シール作成ゲームの流れと、それに伴う利用者の移動について図３を参照して説明する。図３は、写真シール作成装置１を上から見た平面図である。
【００５１】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５２】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５３】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５４】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５５】
画像の印刷が終了したとき、利用者は、事後接客部１３に設けられた排出口からシール紙を受け取り、一連の写真シール作成ゲームを終えることになる。
【００５６】
［各装置の構成］
次に、各装置の構成について説明する。
【００５７】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５８】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５９】
正面パネル４１のほぼ中央には撮影・表示ユニット８１が設けられる。撮影・表示ユニット８１は、カメラ９１、正面ストロボ９２、およびタッチパネルモニタ９３から構成される。
【００６０】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００６１】
カメラ９１を囲むように発光面が設けられた正面ストロボ９２は、他のストロボと同様にカメラ９１による撮影に合わせて発光し、被写体としての利用者の顔付近を正面から照射する。
【００６２】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００６３】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６４】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６５】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量が調整されることによって、または、発光させる蛍光灯の数が調整されることによって、撮影空間Ａ１内の明るさが、利用者が行っている撮影処理の内容に応じて適宜調整される。
【００６６】
足元ストロボ８６の右側には、利用者がお金を投入する硬貨投入返却口８７が設けられる。
【００６７】
下ストロボ８５を挟んでベース部４３の上面の左右に形成されるスペース４３Ａおよび４３Ｂは、撮影処理を行う利用者が手荷物等を置くための荷物置き場として用いられる。
正面パネル４１の例えば天井付近には、撮影処理の案内音声、BGM(Back Ground Music)、効果音等の音を出力するスピーカも設けられる。
【００６８】
図５は、背景部２２の撮影空間Ａ１側の構成例を示す図である。
【００６９】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００７０】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００７１】
図６は、編集部１２の正面側（編集空間Ａ２−１側）の構成例を示す図である。
【００７２】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７３】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７４】
編集部１２の左側には事後接客部１３が設けられる。
【００７５】
図７は、事後接客部１３の正面側の構成例を示す図である。
【００７６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００７７】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００７８】
非接触型ICリーダ／ライタ１６３は、近接された非接触型ICと通信を行い、非接触型ICからのデータの読み出しや非接触型ICに対するデータの書き込みを行う。
【００７９】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８０】
スピーカ１６５は、事後接客処理の案内音声、BGM、効果音等の音を出力する。
【００８１】
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００８２】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００８３】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８４】
通信部２０３はインターネットなどのネットワークのインタフェースであり、制御部２０１による制御に従って外部の装置と通信を行う。
【００８５】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８６】
ROM２０６には、制御部２０１において実行されるプログラムやデータが記憶されている。RAM２０７は、制御部２０１が処理するデータやプログラムを一時的に記憶する。
【００８７】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００８８】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００８９】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９０】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００９１】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００９２】
カメラ９１は、制御部２０１による制御に従って撮影を行い、撮影によって得られた画像を制御部２０１に出力する。
【００９３】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９４】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９５】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９６】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【００９７】
［制御部の構成］
次に、制御部２０１について説明する。図９は、制御部２０１がROM２０６などに格納されているプログラムを実行することにより実現される機能ブロックの構成例を示している。
【００９８】
制御部２０１は、写真シール作成ゲームを開始する際に投入される代金に関する処理や利用者グループを撮影する等の写真シール作成ゲームの撮影作業の工程に関する処理を行う撮影処理部３０２、撮影画像に対する落書き編集等の写真シール作成ゲームの編集作業の工程に関する処理を行う編集処理部３０３、シール紙の印刷等の写真シール作成ゲームの印刷の工程に関する処理を行う印刷処理部３０４、および、編集作業を終了した利用者グループを接客する写真シール作成ゲームの事後接客の工程に関する処理を行う事後接客処理部３０５を有する。
【００９９】
つまり、制御部２０１は、写真シール作成ゲームの各工程に関する処理の制御を行う。
【０１００】
［撮影処理部の構成］
図１０は、図９の撮影処理部３０２のさらに詳細な構成例を示す機能ブロック図である。
【０１０１】
図１０の例において、撮影処理部３０２は、進行制御部３１１、撮影準備処理部３１２、合成用画像選択制御部３１３、ライブビュー表示制御部３１４、撮影画像取得部３１５、合成画像処理部３１６、用途選択制御部３１７、明るさ決定処理部３１８、目サイズ決定処理部３１９、および用途情報生成部３２０から構成される。
【０１０２】
進行制御部３１１は、撮影作業の工程の進行を制御する。
【０１０３】
撮影準備処理部３１２は、写りの調整や明るさの調整等、撮影の準備に関する処理を行う。
【０１０４】
合成用画像選択制御部３１３は、背景や前景などからなる合成用画像をタッチパネルモニタ９３に表示して、利用者により行われる合成用画像の選択に関する処理を制御する。
【０１０５】
ライブビュー表示制御部３１４は、タッチパネルモニタ９３の表示（ライブビュー表示）に関する処理を行う。
【０１０６】
撮影画像取得部３１５は、撮影、特に、撮影画像の取得に関する処理を行う。
【０１０７】
合成画像処理部３１６は、撮影画像の合成等の、合成画像の生成に関する処理を行う。
【０１０８】
用途選択制御部３１７は、事後接客において、撮影画像や編集済みの画像が携帯端末に送信された後、利用者によって携帯端末上でその画像が利用される用途の、利用者による選択に関する処理を制御する。
【０１０９】
明るさ決定処理部３１８は、撮影画像の明るさの決定に関する処理を行う。
【０１１０】
目サイズ決定処理部３１９は、撮影画像における被写体の目のサイズの決定に関する処理を行う。
【０１１１】
用途情報生成部３２０は、上述した用途を表す用途情報の生成に関する処理を行う。用途情報は、事後接客において、撮影画像や編集済みの画像が携帯端末に送信された後、利用者によって携帯端末上でその画像が利用される、その用途を表す情報である。用途としては、詳細は後述するが、携帯端末に送信された画像を、グリーティングカードの代わりとして利用者の友達等にメールや専用サイトを介して送信すること、インターネット等の通信ネットワークを介してやりとりされるメールやブログに添付される装飾画像（デコ画像）として用いること、撮影時の利用者の状態、具体的には、撮影時の利用者の装い（服装、ネイル、化粧、アクセサリ等の装飾品）を記録するための記録用画像として保存すること等がある。
［編集処理部の構成］
図１１は、図９の編集処理部３０３のさらに詳細な構成例を示す機能ブロック図である。
【０１１２】
図１１の例において、編集処理部３０３は、進行制御部３５１、編集準備処理部３５２、入力受付制御部３５３、編集画面表示制御部３５４、および落書き編集処理部３５５から構成される。
【０１１３】
進行制御部３５１は、編集作業の工程の進行を制御する。
【０１１４】
編集準備処理部３５２は、編集対象画像の選択等、編集の準備に関する処理を行う。
【０１１５】
入力受付制御部３５３は、タブレット内蔵モニタ１３１を制御し、タブレット内蔵モニタ１３１に表示される各種のGUIに対して利用者により行われる操作入力を受け付ける処理を行う。
【０１１６】
編集画面表示制御部３５４は、タブレット内蔵モニタ１３１に表示される編集画面の表示や、その編集画面上における各種のGUIの表示に関する処理を行う。
【０１１７】
落書き編集処理部３５５は、利用者によるタッチペン１３２を用いた入力操作に応じて、
編集画像に対して落書き編集に関する処理を行う。
【０１１８】
［写真シール作成装置の動作］
次に、図１２のフローチャートを参照して、写真シール作成ゲームを提供する写真シール作成装置１の処理について説明する。
【０１１９】
ステップＳ１において、写真シール作成装置１の制御部２０１の撮影処理部３０２は、所定の金額分の硬貨が投入されたか否かを硬貨処理部２２１から供給される信号に基づいて判定し、投入されたと判定するまで待機する。
【０１２０】
硬貨が投入されたとステップＳ１において判定した場合、ステップＳ２において、撮影処理部３０２は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１３乃至図１５のフローチャートを参照して後述する。
【０１２１】
ステップＳ３において、撮影処理部３０２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１２２】
ステップＳ４において、編集処理部３０３は、編集空間Ａ２−１と編集空間Ａ２−２のうち、撮影処理を終えた利用者の移動先とした方の編集空間に対応する編集部２０９を制御し、編集処理を行う。具体的には、編集処理部３０３は、編集対象画像として選択された撮影画像に合成する合成用画像を利用者に選択させ、選択された合成用画像を撮影画像に合成させ、得られた合成画像に対して、利用者による編集操作に従って編集を行う。なお、編集処理については、図３０のフローチャートを参照して後述する。
【０１２３】
ステップＳ５において、編集処理部３０３は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１２４】
ステップＳ６において、印刷処理部３０４は、利用者により選択された画像をプリンタ２４１に出力してシール紙に印刷させる印刷処理を行う。
【０１２５】
ステップＳ７において、事後接客処理部３０５は、事後接客部２１０を制御し、印刷終了待機中の利用者に対する事後接客処理を行う。具体的には、事後接客処理部３０５は、撮影画像や編集済みの画像を携帯端末に送信する携帯送信ゲーム処理を事後接客処理として行い、携帯端末の電子メールアドレスの入力画面や、送信する画像の選択画面をタブレット内蔵モニタ１６１に表示させ、利用者による操作に応じて画像を送信する。
【０１２６】
印刷が終了すると、ステップＳ８において、事後接客処理部３０５は、印刷が終了した旨をタブレット内蔵モニタ１６１に表示させ、プリンタ２４１は、画像が印刷されたシール紙をシール紙排出口１６４に排出し、処理を終了させる。
【０１２７】
［撮影処理の例］
次に、図１３乃至図１５のフローチャートを参照して、上述した写真シール作成ゲームの一連の処理におけるステップＳ２の撮影処理の流れの例を説明する。
【０１２８】
撮影処理が開始されると、ステップＳ３１において、合成用画像選択制御部３１３は、予め用意されている、撮影画像に合成される前景や背景の画像である合成用画像（以下、通常合成用画像ともいう）を選択させるための合成用画像選択画面（GUI）を、タッチパネルモニタ９３に表示する。
【０１２９】
ステップＳ３２において、合成用画像選択制御部３１３は、ステップＳ３１の処理で表示された通常合成用画像の中から、利用者による通常合成用画像の選択を所定枚数（例えば５枚）分受け付ける。
【０１３０】
図１６は、タッチパネルモニタ９３に表示される合成用画像選択画面としての背景選択画面の例を示している。図１６の背景選択画面は、４つの背景画像のテーマ「ノーマル」、「パターン」、「オーラ」、および「全身」それぞれのタブ４１１乃至４１４から構成されており、利用者により選択されたタブのテーマに対応する背景画像（モデルを被写体とした撮影画像に合成された背景画像）が表示される。図１６の例では、「ノーマル」に対応する背景画像が１５枚表示されている。利用者によって、背景画像が選択されると、その背景画像は選択背景画像表示領域４１５に表示されるようになる。
【０１３１】
図１３のフローチャートに戻り、ステップＳ３３において、ライブビュー表示制御部３１４は、通常合成用画像とカメラ９１の取り込み画像を合成し、タッチパネルモニタ９３に表示（ライブビュー表示）する。
【０１３２】
ステップＳ３４において、撮影画像取得部３１５は、タッチパネルモニタ９３等にカウントダウンインジケータを表示し、カメラ９１を制御して撮影を行い、撮影画像を得る。
【０１３３】
ステップＳ３５において、合成画像処理部３１６は、撮影画像に通常合成用画像を合成し、合成画像を生成する。さらに、合成画像処理部３１６は、ステップＳ３６において、生成した合成画像をタッチパネルモニタ９３等に表示し、利用者に合成画像（撮影結果）を確認させる。なお、以下においては、撮影結果としての合成画像を、単に撮影画像ともいう。
【０１３４】
ステップＳ３７において、進行処理部３１１は、所定回数撮影したか否かを判定し、撮影枚数が予め定められている所定回数に達していない場合、処理は、ステップＳ３３に戻り、それ以降の処理が繰り返される。例えば、合成用画像選択画面により選択された合成用画像のそれぞれと合成する撮影画像を得るための撮影が行われ、合計５回の撮影が行われた場合、ステップＳ３７において所定回数撮影したと判定される。
【０１３５】
ステップＳ３７において、所定回数撮影したと判定された場合、処理はステップＳ３８に進む。
【０１３６】
ステップＳ３８において、用途選択制御部３１７は、事後接客における携帯送信ゲームによって利用者の携帯端末に送信される画像であって、携帯端末上で利用者により利用される携帯送信後利用画像である「使えるプリ画」の撮影についてのガイダンスを行うためのガイダンス画面を、タッチパネルモニタ９３に表示する。
【０１３７】
図１７は、タッチパネルモニタ９３に表示される「使えるプリ画」撮影のガイダンス画面の例を示している。「使えるプリ画」の用途には、「お祝いメール」、「ブログデコ」、および「コーデアルバム」の３つがあり、図１７のガイダンス画面には、それぞれの用途に応じた撮影によって得られる「使えるプリ画」のサンプル画像４２１乃至４２３が表示されている。
【０１３８】
ここで、「お祝いメール」は、携帯端末に送信された画像を、利用者の友達等に対するメッセージを含むグリーティングカード（装飾メール）の代わりとして、利用者の友達等にメールや専用サイトを介して送信することを目的とする用途である。「ブログデコ」は、携帯端末に送信された画像を、通信ネットワーク（インターネット）を介してやりとりされるテキストデータ（メールやブログ）に添付される装飾画像（デコ画像）として用いることを目的とする用途である。そして、「コーデアルバム」は、携帯端末に送信された画像を、撮影時の利用者の状態、具体的には、撮影時の利用者の装い（服装、ネイル、化粧、アクセサリ等の装飾品）を記録するための記録用画像として保存することを目的とする用途である。
【０１３９】
ステップＳ３９において、用途選択制御部３１７は、ステップＳ３８の処理で表示されたガイダンス画面の用途（サンプル画像４２１乃至４２３）の中から、利用者による用途の選択を受け付ける。ここでは、「お祝いメール」、すなわちサンプル画像４２１が選択されたものとして、以下説明する。
【０１４０】
用途が選択されると、ステップＳ４０において、合成用画像選択制御部３１３は、ステップＳ３９において選択された用途に応じた前景や背景の画像である、携帯送信後利用画像（使えるプリ画）用の合成用画像を選択させるための合成用画像選択画面（GUI）を、タッチパネルモニタ９３に表示する。
【０１４１】
ステップＳ４１において、合成用画像選択制御部３１３は、ステップＳ４０の処理で表示された合成用画像の中から、利用者による合成用画像の選択を１枚分だけ受け付ける。
【０１４２】
図１８は、タッチパネルモニタ９３に表示される、使えるプリ画用の合成用画像選択画面との例を示している。図１８の合成用画像選択画面は、３つの用途「お祝いメール」、「ブログデコ」、および「コーデアルバム」それぞれのタブ４３１乃至４３３から構成されており、図１８の例では、図１７のガイダンス画面で選択された「お祝いメール」の合成用画像が６枚、モデルを被写体とした撮影画像に合成されて表示されている。「お祝いメール」の合成用画像は、撮影画像における被写体の前景として合成される「Happy Birthday」や「おめでとう」等のメッセージからなる前景画像、および撮影画像の外側（周囲）に合成されるメッセージ画像を含む画像である。メッセージ画像は、前景画像としての「Happy Birthday」や「おめでとう」等のメッセージに関連する定型の文章（定型文）を含む画像である。なお、撮影画像の背景色は、タブ４３１の右端の表示されているカラーパレットにより選択されてもよいし、選択された合成用画像に応じて決定されるようにしてもよい。利用者によって、合成用画像が選択されると、その合成用画像は選択合成用画像表示領域４３４に表示され、決定ボタン４３５が選択されることで、その合成用画像が確定される。なお、図１８の合成用画像選択画面において、タブ４３２またはタブ４３３が選択されることで、「ブログデコ」または「コーデアルバム」の合成用画像が表示されるようになる。
【０１４３】
なお、「お祝いメール」の合成用画像として、季節に応じた合成用画像を表示するようにしてもよい。具体的には、例えば、５月１日乃至５月第２日曜日までは、「お祝いメール」の合成用画像として、母の日をイメージしたデザインの合成用画像を表示するようにしたり、６月１０日乃至６月第３日曜日までは、「お祝いメール」の合成用画像として、父の日をイメージしたデザインの合成用画像を表示するようにしてもよい。
【０１４４】
図１３のフローチャートに戻り、ステップＳ４２において、ライブビュー表示制御部３１４は、使えるプリ画用の合成用画像とカメラ９１の取り込み画像を合成し、タッチパネルモニタ９３に表示（ライブビュー表示）する。
【０１４５】
ステップＳ４３において、撮影画像取得部３１５は、タッチパネルモニタ９３等にカウントダウンインジケータを表示し、カメラ９１を制御して撮影を行い、撮影画像を得る。
【０１４６】
図１９は、タッチパネルモニタ９３におけるライブビュー表示画面の例を示している。図１９のライブビュー表示画面は、「お祝いメール」の合成用画像のうちの前景画像とカメラ９１の取り込み画像を合成した合成画像をライブビュー表示するライブビュー表示領域４４１、「お祝いメール」のメッセージ画像を含む合成用画像とカメラ９１の取り込み画像を合成した合成画像をライブビュー表示するライブビュー表示領域４４２、およびカウントダウンインジケータ４４３から構成されている。図１９のライブビュー表示画面において、カウントダウンインジケータ４４３で示される数字が０になったときに、ライブビュー表示領域４４１に表示されている合成画像が撮影画像として得られる。なお、図１９の例において、ライブビュー表示領域４４１およびライブビュー表示領域４４２のうちのいずれか一方のみが表示されるようにしてもよい。
【０１４７】
ステップＳ４４において、合成画像処理部３１６は、撮影画像に合成用画像（メッセージ画像）を合成し、撮影画像とは別に、携帯送信後利用画像（使えるプリ画）を生成する。さらに、合成画像処理部３１６は、ステップＳ４５において、得られた撮影画像および携帯送信後利用画像（使えるプリ画）をタッチパネルモニタ９３等に表示し、利用者に撮影画像および携帯送信後利用画像（使えるプリ画）を、撮影結果として確認させる。
【０１４８】
図２０は、タッチパネルモニタ９３に表示される撮影結果の例を示している。タッチパネルモニタ９３に表示される撮影結果としては、図２０に示されるように、使えるプリ画として得られた使えるプリ画４５１と、合成用画像のうちの前景画像が合成された撮影画像４５２とが、撮影画像４５２の方が大きくなるようにして、それぞれ表示されるようにしてもよいし、使えるプリ画４５１のみが表示されるようにしてもよい。また、時間的に先に撮影画像４５２が表示され、その後に使えるプリ画４５１が表示されるようにしてもよいし、その逆であってもよい。さらに、合成用画像（使えるプリ画４５１から撮影画像４５２を除いたメッセージ画像）と撮影画像４５２とが別個に表示されている状態から、図中、太矢印で示されるように、合成用画像（メッセージ画像）に撮影画像４５２が合成される様子を表すアニメーションを表示させることで、最終的に、使えるプリ画４５１が表示されるようにしてもよい。
【０１４９】
このように、「お祝いメール」の使えるプリ画の撮影においては、１回の撮影で、撮影画像と携帯送信後利用画像（使えるプリ画）の、見た目も目的も異なる２枚の画像を得ることができる。なお、使えるプリ画は、携帯端末に送信されることを前提としているが、シール紙に印刷されるようにしてもよい。
【０１５０】
図１３のフローチャートに戻り、ステップＳ４５の後、処理は、図１４のステップＳ４６に進み、進行制御部３１１は、撮影可能時間内か否かを判定し、経過時間または残り時間に基づいて、また撮影可能か否かを判定する。ステップＳ４６において、撮影可能であると判定された場合、処理は、ステップＳ４７に進み、追加的な撮影、いわゆる「ボーナス撮影」の処理が行われる。
【０１５１】
ステップＳ４７において、進行制御部３１１は、ボーナス撮影を案内するためのボーナス撮影用案内画面をタッチパネルモニタ９３等に表示し、利用者にボーナス撮影の概要を確認させる。
【０１５２】
ステップＳ４８において、合成用画像選択制御部３１３は、図１３のステップＳ３１と同様に、合成用画像選択画面をタッチパネルモニタ９３に表示し、ステップＳ４９において、ステップＳ３２と同様に、利用者による通常合成用画像の選択を受け付ける。
【０１５３】
ステップＳ５０において、ライブビュー表示制御部３１４は、ステップＳ３３と同様に、通常合成用画像とカメラ９１の取り込み画像を合成し、タッチパネルモニタ９３に表示（ライブビュー表示）する。
【０１５４】
ステップＳ５１において、撮影画像取得部３１５は、追加的な撮影であるボーナス撮影を行う。このボーナス撮影も上述した通常の撮影と同様に行われる。つまり、撮影画像取得部３１５は、ステップＳ３４と同様に、タッチパネルモニタ９３等にカウントダウンインジケータを表示し、カメラ９１を制御して撮影を行い、撮影画像を得る。
【０１５５】
ステップＳ５２において、合成画像処理部３１６は、ステップＳ３５と同様に、撮影により得られた撮影画像に通常合成用画像を合成し、合成画像を生成する。
【０１５６】
ステップＳ５３において、合成画像処理部３１６は、ステップＳ３６と同様に、合成画像を、タッチパネルモニタ９３に表示し、利用者に撮影結果を確認させる。
【０１５７】
ステップＳ５４において、進行制御部３１１は、所定時間経過したか否かを判定し、まだ撮影可能である場合、処理は、ステップＳ４８に戻り、それ以降の処理が繰り返され、ボーナス撮影が再度行われる。
【０１５８】
一方、ステップＳ５４において、所定時間経過したと判定された場合、処理は、図１５のステップＳ５５に進む。また、先に述べたステップＳ４６において、撮影可能時間内ではないと判定された場合も、ボーナス撮影が行われないため、ステップＳ４７乃至ステップＳ５４をスキップして、処理は、図１５のステップＳ５５に進む。
【０１５９】
図１５のステップＳ５５において、明るさ決定処理部３１８は、撮影画像に写る被写体の明るさの選択に用いられる明るさ選択画面をタッチパネルモニタ９３に表示させる。
【０１６０】
図２１は、利用者自身が写されている撮影画像を使用して、被写体の明るさを選択するのに用いられる明るさ選択画面の例を示す図である。
【０１６１】
明るさ選択画面には、本撮影処理によって得られた撮影画像４７１が表示される。例えば、撮影を６回行ったときには、６枚の撮影画像が得られており、明るさ選択画面では、６枚の撮影画像４７１−１乃至４７１−６が、画面の中央から左側に表示される。なお、明るさ選択画面に表示される撮影画像４７１−１乃至４７１−６は、撮影されたままの画像である。
【０１６２】
明るさ選択画面の右側には、５つの明るさ選択ボタン４７２−１乃至４７２−５が上から順に表示される。明るさ選択ボタン４７２−１乃至４７２−５には、「１」から「５」までの数値がそれぞれ表示されているとともに、明るさの異なるモデルがそれぞれ表示されている。
【０１６３】
明るさ選択ボタン４７２−１乃至４７２−５の「１」から「５」までの数値は、明るさの程度を示しており、数値が大きくなるほど被写体が暗い色合いとなる。
【０１６４】
また、明るさ選択ボタン４７２−１乃至４７２−５の右方には、上から下に向かって順に、「美白」、「おすすめ」、および「美黒」という文字が表示されている。つまり、明るさ選択ボタン４７２−１乃至４７２−５の並びにおいて、上側が被写体を明るくし、下側が被写体を暗くすることを示唆している。
【０１６５】
また、明るさ選択画面の右下側には、被写体の明るさを決定するときに操作される決定ボタン４７３が表示されており、決定ボタン４７３には、「決定」という文字が表示されている。
【０１６６】
このような明るさ選択画面がタッチパネルモニタ９３に表示され、利用者が、明るさ選択ボタン４７２−１乃至４７２−５のいずれかを選択すると、明るさ決定処理部３１８は、利用者による選択を受け付ける。そして、明るさ決定処理部３１８は、利用者により選択された明るさで被写体が写されている画像になるように、撮影画像４７１−１乃至４７１−６の被写体の明るさを一括して変更する画像処理を行う。
【０１６７】
そして、利用者が、被写体の明るさの選択を行った後に決定ボタン４７３を選択すると、その時点で撮影画像４７１−１乃至４７１−６に反映されていた明るさで、被写体の明るさの選択が決定される。
【０１６８】
図１５のフローチャートに戻り、ステップＳ５６において、利用者が、明るさ選択画面の明るさ選択ボタン４７２−１乃至４７２−５のいずれかに対する操作（タッチ）を行って被写体の明るさを選択すると、明るさ決定処理部３１８は、タッチパネルモニタ９３から供給された情報に基づいて、利用者による選択を受け付ける。
【０１６９】
ステップＳ５７において、明るさ決定処理部３１８は、利用者により選択された明るさの被写体になるように、全ての撮影画像４７１−１乃至４７１−６の被写体の明るさを一括して変更する。
【０１７０】
ステップＳ５８において、明るさ決定処理部３１８は、被写体の明るさを変更した撮影画像４７１−１乃至４７１−６をタッチパネルモニタ９３に表示し、明るさの変更結果を利用者に確認させる。
【０１７１】
ステップＳ５９において、明るさ決定処理部３１８は、決定ボタン４７３が押されたか否かをタッチパネルモニタ９３から供給された情報に基づいて判定し、押されていないと判定した場合、ステップＳ５６に戻り、以上の処理を繰り返す。
【０１７２】
一方、決定ボタンが押されたとステップＳ５９において判定した場合、ステップＳ６０において、明るさ決定処理部３１８は、被写体の明るさを決定し、決定した明るさを表す情報を記憶部２０２などに記憶させて保存する。
【０１７３】
ステップＳ６１において、目サイズ決定処理部３１９は、撮影画像に写る利用者の目のサイズの選択に用いられる目サイズ選択画面を、タッチパネルモニタ９３に表示させる。
【０１７４】
図２２は、利用者自身が写されている撮影画像を使用して、被写体の目のサイズを選択するのに用いられる目サイズ選択画面の例を示す図である。
【０１７５】
目サイズ選択画面には、撮影処理によって得られた撮影画像４８１が表示される。例えば、撮影を６回繰り返し行ったときには、６枚の撮影画像が得られており、目サイズ選択画面では、６枚の撮影画像４８１−１乃至４８１−６が、画面の中央から左側に表示される。
【０１７６】
目サイズ選択画面の右側には、３つの目サイズ選択ボタン４８２−１乃至４８２−３が上から順に表示される。目サイズ選択ボタン４８２−１には、「ナチュラルｅｙｅ」という文字と、目のサイズが自然な大きさのモデルの目の画像とが表示されている。目サイズ選択ボタン４８２−２には、「パッチリｅｙｅ」という文字と、目のサイズが若干大きな（例えば、自然な大きさよりも１割程度大きな）モデルの目の画像とが表示されている。また、目サイズ選択ボタン４８２−２には、この大きさの目サイズを選択することが推奨されることを示唆する「おすすめ」の文字がハート形の図形とともに表示されている。
【０１７７】
目サイズ選択ボタン４８２−３には、「ボリュームｅｙｅ」という文字と、目のサイズが比較的大きな（例えば、自然な大きさよりも２割程度大きな）モデルの目の画像とが表示されている。また、目サイズ選択ボタン４８２−１乃至４８２−３の右方には、上から下に向かう矢印が表示されるとともに、その矢印の上方に「natural」という文字が表示され、その矢印の下方に「big」という文字が表示されている。つまり、目サイズ選択ボタン４８２−１、目サイズ選択ボタン４８２−２、および目サイズ選択ボタン４８２−３の順に下に向かうにしたがって、目サイズが大きくなることを示唆している。
【０１７８】
また、目サイズ選択画面の右下側には、目のサイズの選択を決定するときに操作される決定ボタン４８３が表示されており、決定ボタン４８３には、「決定」という文字が表示されている。
【０１７９】
このような目サイズ選択画面がタッチパネルモニタ９３に表示され、利用者が、目サイズ選択ボタン４８２−１乃至４８２−３のいずれかを選択すると、目サイズ決定処理部３１９は、利用者による選択を受け付ける。そして、目サイズ決定処理部３１９は、利用者により選択されたサイズの目が写されている画像になるように、撮影画像４８１−１乃至４８１−６の被写体の目のサイズを一括して変更する。
【０１８０】
そして、利用者が、目のサイズの選択を行った後に決定ボタン４８３を選択すると、その時点で撮影画像４８１−１乃至４８１−６に反映されていた大きさで、被写体の目のサイズの選択が決定される。
【０１８１】
図１５のフローチャートに戻り、ステップＳ６２において、利用者が、目サイズ選択画面の目サイズ選択ボタン４８２−１乃至４８２−３のいずれかに対する操作（タッチ）を行って目のサイズを選択すると、目サイズ決定処理部３１９は、タッチパネルモニタ９３から供給された情報に基づいて、利用者による選択を受け付ける。
【０１８２】
ステップＳ６３において、目サイズ決定処理部３１９は、利用者により選択されたサイズの目が写っている画像になるように、全ての撮影画像４８１−１乃至４８１−６に写る利用者の目のサイズを一括して変更する。
【０１８３】
ステップＳ６４において、目サイズ決定処理部３１９は、目のサイズを変更した撮影画像４８１−１乃至４８１−６をタッチパネルモニタ９３に表示し、目のサイズの変更結果を利用者に確認させる。
【０１８４】
ステップＳ６５において、目サイズ決定処理部３１９は、決定ボタン４８３が押されたか否かをタッチパネルモニタ９３から供給された情報に基づいて判定し、押されていないと判定した場合、ステップＳ６２に戻り、以上の処理を繰り返す。
【０１８５】
一方、決定ボタン４８３が押されたとステップＳ６５において判定した場合、ステップＳ６６において、目サイズ決定処理部３１９は、目のサイズを決定し、決定した目のサイズを表す情報を記憶部２０２などに記憶させて保存する。
【０１８６】
ステップＳ６７において、用途情報生成部３２０は、ステップＳ３９において選択された「お祝いメール」、「ブログデコ」、および「コーデアルバム」のうちのいずれか１つの用途を表す用途情報を生成する。
【０１８７】
ステップＳ６８において、合成画像処理部３１６は、携帯送信後利用画像および合成用画像が合成された撮影画像を、用途情報生成部３２０によって生成された用途情報を含む付加情報とともに記憶部２０２に記憶させる。付加情報には、上述した用途情報の他、携帯送信後利用画像用の合成用画像に含まれるテキスト（文章）や画像等のデータが含まれる。
【０１８８】
ステップＳ６８の処理が終了すると、撮影処理は終了され、処理は、図１２のステップＳ２に戻る。
【０１８９】
以上の処理によれば、利用者に、通常の撮影を行わせるのに加えて、携帯端末に送信されてから利用される携帯送信後利用画像の用途を選択させ、その用途に応じた合成用画像を選択して撮影を行わせることができるようになる。これにより、利用者に、撮影時に、得られる画像が携帯端末に送信されることを意識させることができるので、最終的に携帯端末に送信されてきた画像を、利用者の満足のいくものとすることができ、利用者にとってより満足度の高い画像を提供することが可能となる。
【０１９０】
また、携帯送信後利用画像の撮影によれば、合成用画像を合成しないそのままの撮影画像と、合成用画像を合成した携帯送信後利用画像とが得られ、１回の撮影で２枚の画像を得ることができるようになる。これにより、利用者に、複数回の撮影作業を行わせることなく、すなわち、煩わしさを与えることなくスムーズに、異なる画像を提供することが可能となる。
【０１９１】
以上においては、図１７のガイダンス画面において、用途として「お祝いメール」が選択された場合の画面表示について説明したが、図２３，２４を参照して、図１７のガイダンス画面において、用途として「ブログデコ」が選択されたか、または、図１８の合成用画像選択画面において、タブ４３２が選択された場合の画面表示について説明する。
【０１９２】
図２３は、用途として「ブログデコ」が選択されたときにタッチパネルモニタ９３に表示される、使えるプリ画用の合成用画像選択画面の例を示している。図２３の合成用画像選択画面においては、「ブログデコ」の合成用画像として、「ありがとう系」、「ラブラブ系」、「おめでとう系」、「よろしく系」、「あいさつ系」、「ごめんね系」、「おやすみ系」、および「じゆう系」の８種類（８枚）の合成用画像が、モデルを被写体とした撮影画像に合成されて表示されている。「ブログデコ」の合成用画像は、撮影画像の一部分（具体的には、被写体の顔部分）に隣接するように（図２３の例では左側に）合成される吹き出し画像を含む画像である。吹き出し画像は、撮影画像における被写体が言葉を発しているように見せるための吹き出しと、その吹き出しに表示される所定の定型文を含む画像である。なお、撮影画像の背景色は、タブ４３２の右端の表示されているカラーパレットにより選択されてもよいし、選択された合成用画像に応じて決定されるようにしてもよい。利用者によって、合成用画像が選択されると、その合成用画像は選択合成用画像表示領域４３４に表示され、決定ボタン４３５が選択されることで、その合成用画像が確定される。
【０１９３】
図２４は、用途として「ブログデコ」が選択されたときの、タッチパネルモニタ９３におけるライブビュー表示画面の例を示している。図２４のライブビュー表示画面は、カメラ９１の取り込み画像をライブビュー表示するライブビュー表示領域４９１、合成用画像とカメラ９１の取り込み画像を合成した合成画像をライブビュー表示するライブビュー表示領域４９２、およびカウントダウンインジケータ４９３から構成されている。ライブビュー表示領域４９１に表示される取り込み画像において、合成画像（携帯送信後利用画像）に含まれない部分、すなわち、取り込み画像の下半分は、半透明のグレーがかった表示（グレースケール表示）となっている。図２４のライブビュー表示画面においても、カウントダウンインジケータ４９３で示される数字が０になったときに、ライブビュー表示領域４９１に表示されている取り込み画像が撮影画像として得られる。
【０１９４】
なお、撮影後の撮影結果としては、ライブビュー表示領域４９２に表示される画像に対応する、「使えるプリ画」として得られた携帯送信後利用画像と、ライブビュー表示領域４９１に表示される画像に対応する、合成用画像が合成されていない撮影画像とが、それぞれ別個に表示されるようにしてもよいし、携帯送信後利用画像のみが表示されるようにしてもよい。
【０１９５】
このように、「ブログデコ」の使えるプリ画の撮影においても、１回の撮影で、撮影画像と携帯送信後利用画像（使えるプリ画）の、見た目も目的も異なる２枚の画像を得ることができる。これにより、利用者に、複数回の撮影作業を行わせることなく、すなわち、煩わしさを与えることなくスムーズに、異なる画像を提供することが可能となる。
【０１９６】
次に、図２５乃至２９を参照して、図１７のガイダンス画面において、用途として「コーデアルバム」が選択されたか、または、図１８の合成用画像選択画面において、タブ４３３が選択された場合の画面表示について説明する。
【０１９７】
図２５は、用途として「コーデアルバム」が選択されたときにタッチパネルモニタ９３に表示される、使えるプリ画用の合成用画像選択画面の例を示している。図２５の合成用画像選択画面においては、「コーデアルバム」の合成用画像として、６枚の合成用画像が、モデルを被写体とした撮影画像に合成されて表示されている。その６枚の合成用画像のうち、下段の３枚は、１人用の合成用画像（１人用合成用画像）であり、上段の３枚は、２人用の合成用画像（２人用合成用画像）である。１人用合成用画像は、利用者（被写体）が２人であっても、撮影画像からそれぞれの被写体がトリミングされたトリミング画像に合成される合成用画像であり、２人用合成用画像は、２人の被写体の撮影画像に合成される合成用画像である。「コーデアルバム」の合成用画像（１人用合成用画像および２人用合成用画像）は、撮影画像（トリミング画像）における被写体の前景として合成される前景画像、被写体の背景として合成される背景画像、および、利用者（被写体）の身につけているアイテムを紹介するための画像であるアイテムスタンプを含む画像である。なお、背景画像の色は、タブ４３３の右端の表示されているカラーパレットにより選択されてもよいし、選択された合成用画像に応じて決定されるようにしてもよい。利用者によって、合成用画像が選択されると、その合成用画像は選択合成用画像表示領域４３４に表示され、決定ボタン４３５が選択されることで、その合成用画像が確定される。なお、１人用合成用画像が選択され確定された場合、もう１枚の１人用合成用画像が選択可能となる。すなわち、１人用合成用画像は、２枚（２人分）選択されるようになる。
【０１９８】
図２６は、用途として「コーデアルバム」が選択され、合成用画像として１人用合成用画像が選択されたときの、タッチパネルモニタ９３におけるライブビュー表示画面の例を示している。この場合、２人の被写体が写っている、図２６の左側に示されるカメラ９１の取り込み画像５１１に対して、被写体部分それぞれがトリミングされる。図２６の右側に示されるライブビュー表示画面は、１人用合成用画像とカメラ９１の取り込み画像５１１からトリミングされた被写体それぞれの画像を合成した合成画像をライブビュー表示するライブビュー表示領域５１２，５１３、およびカウントダウンインジケータ５１４から構成されている。ライブビュー表示領域５１２には、図２５の合成用画像選択画面において選択された１人目の１人用合成用画像と、取り込み画像５１１からトリミングされた左側の被写体の画像とが合成された合成画像が表示され、ライブビュー表示領域５１３には、図２５の合成用画像選択画面において選択された２人目の１人用合成用画像と、取り込み画像５１１からトリミングされた右側の被写体の画像とが合成された合成画像が表示されている。また、ライブビュー表示領域５１２とライブビュー表示領域５１３との間には、いずれかの合成画像に合成されている合成用画像と、モデルを被写体とした撮影画像とが合成されたモデルサンプル画像が表示されている。図２６のライブビュー表示画面においては、カウントダウンインジケータ５１４で示される数字が０になり「shot!!」となったときに、ライブビュー表示領域５１２，５１３に表示されている合成画像がそれぞれ携帯送信後利用画像として得られる。
【０１９９】
図２７は、用途として「コーデアルバム」が選択され、合成用画像として１人用合成用画像が選択された場合の、タッチパネルモニタ９３に表示される撮影結果の例を示している。タッチパネルモニタ９３に表示される撮影結果としては、「使えるプリ画」として得られた携帯送信後利用画像５２１，５２２がそれぞれ表示される。
【０２００】
このように、「コーデアルバム」の使えるプリ画の撮影において、合成用画像として１人用合成用画像が選択された場合には、１回の撮影で、複数人（２人）の利用者それぞれについての携帯送信後利用画像（使えるプリ画）として、異なる２枚の画像を得ることができる。これにより、利用者に、複数回の撮影作業を行わせることなく、すなわち、煩わしさを与えることなくスムーズに、異なる画像を提供することが可能となる。
【０２０１】
図２８は、用途として「コーデアルバム」が選択され、合成用画像として２人用合成用画像が選択されたときの、タッチパネルモニタ９３におけるライブビュー表示画面の例を示している。図２８に示されるライブビュー表示画面は、２人用合成用画像とカメラ９１の取り込み画像とを合成した合成画像をライブビュー表示するライブビュー表示領域５３１およびカウントダウンインジケータ５３２から構成されている。ライブビュー表示領域５３１には、図２５の合成用画像選択画面において選択された２人用合成用画像と、取り込み画像５１１（図２６）とが合成された合成画像が表示されている。また、ライブビュー表示領域５３１の左側には、ライブビュー表示領域５３１の合成画像に合成されている合成用画像と、モデルを被写体とした撮影画像とが合成されたモデルサンプル画像が表示されている。図２８のライブビュー表示画面においては、カウントダウンインジケータ５３２で示される数字が０になり「shot!!」となったときに、ライブビュー表示領域５３１に表示されている合成画像が携帯送信後利用画像として得られる。
【０２０２】
図２９は、用途として「コーデアルバム」が選択され、合成用画像として２人用合成用画像が選択された場合の、タッチパネルモニタ９３に表示される撮影結果の例を示している。タッチパネルモニタ９３に表示される撮影結果としては、「使えるプリ画」として得られた携帯送信後利用画像５４１が表示される。
【０２０３】
このように、「コーデアルバム」の使えるプリ画の撮影において、合成用画像として２人用合成用画像が選択された場合には、１回の撮影で、１枚の携帯送信後利用画像のみが得られる。
【０２０４】
なお、「コーデアルバム」の使えるプリ画は、携帯端末に送信されるとともに、シール紙に印刷される。
【０２０５】
［編集処理の例］
次に、図３０のフローチャートを参照して、図１２のステップＳ４において実行される編集処理の詳細な流れの例を説明する。なお、この編集処理は、実際には、編集空間Ａ２−１または編集空間Ａ２−２のうち、図１３乃至１５のフローチャートに対応する写真シール作成ゲームの撮影工程をプレイした利用者が移動した方の編集空間に対して実行されるが、いずれの編集空間に対する場合も同様の処理が実行されるので、以下においては説明の簡略化のため、利用者が編集空間Ａ２−１に移動したか編集空間Ａ２−２に移動したかを特に明言せずに、編集空間Ａ２に移動したものとして説明する。
【０２０６】
編集処理が開始されると、ステップＳ８１において、編集準備処理部３５２は、撮影部２０８によって得られた撮影画像を、用途情報とともに記憶部２０２から取得する。
【０２０７】
ステップＳ８２において、編集準備処理部３５２は、記憶部２０２から取得した撮影画像を、タブレット内蔵モニタ１３１に表示させることで、それら複数枚（例えば６枚）の撮影画像を編集対象画像（キープ画像）として選択させる。なお、ボーナス撮影が行われた場合には、編集準備処理部３５２は、利用者に、複数枚（例えば６枚）の撮影画像とボーナス撮影による撮影画像の中から、複数枚（例えば６枚）の編集対象画像（キープ画像）を選択させる。
【０２０８】
ステップＳ８３において、編集準備処理部３５２は、タブレット内蔵モニタ１３１に、シール紙のレイアウト（配置）を決定する写真シールの分割パターンを選択させる分割パターン選択画面を表示させ、利用者に分割パターンを選択させる。利用者が分割パターンを選択すると、編集準備処理部３５２は、次に、タブレット内蔵モニタ１３１に編集開始ボタンのGUI画像を表示する。利用者は、タッチペン１３２を操作して、その編集開始ボタンを押下操作する。編集開始ボタンが押下操作されると、タブレット内蔵モニタ１３１に編集作業用のGUIである編集画面が表示されるので、利用者は落書き編集作業を開始することができる。
【０２０９】
そして、編集開始ボタンが操作されたと判定された場合、ステップＳ８４において、編集画面表示制御部３５４は、タブレット内蔵モニタ１３１に、撮影画像に対する落書き編集を利用者に入力させるGUI画面である編集画面を表示させる。
【０２１０】
ステップＳ８５において、入力受付制御部３５３は、編集部２０９のタブレット内蔵モニタ１３１やタッチペン１３２を制御し、利用者による編集画面に対する落書き編集入力の受け付けを開始する。
【０２１１】
ステップＳ８６において、入力受付制御部３５３は、タブレット内蔵モニタ１３１より供給される入力信号（すなわち、タッチペン１３２の位置情報）に基づいて、利用者による指示が入力された（GUIに対する操作が行われた）か否かを判定する。利用者等によりタッチペン１３２が操作され、タブレット内蔵モニタ１３１に対して位置情報が入力されたと判定した場合、入力受付制御部３５３は、処理をステップＳ８７に進め、落書き編集処理部３５５は、入力座標に基づいて入力された指示内容を把握し、その指示に対応する処理を行う。
【０２１２】
このような入力に対応する処理が終了すると、落書き編集処理部３５５は、処理をステップＳ８８に進める。なお、ステップＳ８６において指示が入力されていないと判定した場合、落書き編集処理部３５５は、ステップＳ８７の処理を省略し、ステップＳ８８に処理を進める。
【０２１３】
ステップＳ８８において、進行制御部３５１は、所定の時間（制限時間）が経過したか、または、終了ボタンが操作されたか否かを判定し、制限時間にも達しておらず、終了ボタンも操作されていないと判定した場合、進行制御部３５１は、処理をステップＳ８６に戻し、それ以降の処理を繰り返す。つまり、進行制御部３５１は、所定の時間が経過した、または、終了ボタンが操作されたと判定されるまで、ステップＳ８６乃至ステップＳ８８の処理を繰り返し、落書き編集入力に対する処理を行う。そして、ステップＳ８８において、所定の時間が経過した、または、終了ボタンが操作されたと判定した場合、進行制御部３５１は、処理をステップＳ８９に進める。
【０２１４】
ステップＳ８９において、進行制御部３５１は、落書き編集が行われた編集画像（落書き編集結果）を印刷用の画像を作成するために、印刷対象画像として保存する。なお、この「保存する」とは、単に編集結果である編集画像を印刷処理に提供することを示すものであり、実際に、データを、RAM２０７や記憶部２０２に保存するかしないかは任意である。
【０２１５】
ステップＳ９０において、進行制御部３５１は、編集画面の表示を終了し、編集入力の受け付けを終了する。ステップＳ９０の処理を終了すると、進行制御部３５１は、編集処理を終了し、処理を図１２のステップＳ４に戻し、ステップＳ５以降の処理が実行される。
【０２１６】
［編集画面の表示例］
ここて、図３１乃至図３３を参照して、編集処理における編集画面（GUI）の表示例について説明する。
【０２１７】
図３１乃至図３３は、タブレット内蔵モニタ１３１に表示される編集画面の例を示す図である。この例では、便宜上、編集画面の左側の部分のみを説明することとする。
【０２１８】
図３１乃至図３３の編集画面６０１には、編集対象画像選択部６１１、編集画像表示部６１２、残時間表示部６１３、制御指示受付部６１４、編集ツール選択部６１５、および編集用パレット６１６が設けられている。
【０２１９】
編集対象画像選択部６１１は、編集画面６０１において利用者に落書き編集される画像となり得る編集対象画像の中から、利用者が落書きを行う編集画像を選択するGUIである。
【０２２０】
この編集対象画像は、撮影空間３２における撮影作業により生成され、利用者により選択されたキープ画像である。編集対象画像選択部６１１には、このキープ画像のサムネイル画像の一覧がGUIとして表示される。利用者が、この編集対象画像選択部６１１に表示された編集対称画像の中から所望のものをタッチペン１３２で選択すると、その選択された画像が編集画像とされ、編集画面６０１上に編集画像として大きく表示される。
【０２２１】
編集画像表示部６１２は、利用者が落書き編集を行う編集画像を表示する作業領域であり、編集対象画像選択部６１１に対してタッチペン１３２が操作されて選択された編集対象画像（選択画像）が編集画像として表示される。
【０２２２】
なお、編集対象画像選択部６１１において、携帯送信後利用画像（使えるプリ画）に対応する編集対象画像が選択された場合、編集画像表示部６１２に選択された編集対象画像が表示されるとともに、編集画面６０１の所定の領域に、切替ボタンが表示される。この切替ボタンが操作されると、編集画像表示部６１２の表示が、編集対象画像選択部６１１において選択された編集対象画像と、その編集対象画像に対応する使えるプリ画とで切り替わるようになる。
【０２２３】
残時間表示部６１３は、編集作業に予め割り当てられた制限時間の残り時間（残時間）を表示する。この表示により利用者は、落書き編集のペース配分を行うことができる。
【０２２４】
制御指示受付部６１４は、編集画像表示部６１２に表示される編集画像に対する落書き編集全般に関する制御指示を受け付けるためのGUIである。この制御指示受付部６１４は、例えば、今まで行った落書きを消す消しゴム機能のGUIや、編集作業の最初からのやり直しを指定するGUIや、編集作業の終了を指示するGUI等が表示される。
【０２２５】
編集ツール選択部６１５は、編集画像表示部６１２に表示されている編集画像の編集に使用する編集ツールを選択するGUIが表示される。この例の場合、このGUIとして、例えば、「スペシャル」ボタン、「デコリ」ボタン、「ペン」ボタン、「スタンプ」ボタン、「変身」ボタン、「文字」ボタン、および「コロコロ」ボタンが設けられている。これらのGUIボタンは編集ツールの大カテゴリ（編集ツールをグループ化したもの）を選択するものである。各大カテゴリには、それぞれ、１つまたは複数の編集ツールが属する。
【０２２６】
利用者がタッチペン１３２を操作して、これらのボタンを押下すると、押下されたボタンに、そのボタンに対応する編集ツールが選択されたことを示す選択アンカが表示される。
【０２２７】
このように選択された大カテゴリに属する編集ツールが、編集用パレット６１６に表示される。編集用パレット６１６には、利用者がタッチペン１３２を操作して選択したカテゴリに属する編集ツールを操作するためのGUIが表示されている。これらの編集ツールは、編集画像表示部６１２に表示される編集画像に対する落書きに使用される。
【０２２８】
カテゴリに複数の編集ツールが属する場合、各編集ツールは、編集用パレット６１６にタブで表示される。
【０２２９】
まず、図３１においては、編集対象画像選択部６１１において、使えるプリ画に対応する編集対象画像が選択され、編集画像表示部６１２に、選択された編集対象画像が表示され、図示せぬ切替ボタンが操作されると、編集画像表示部６１２には、編集対象画像選択部６１１において選択された編集対象画像に対応する使えるプリ画が表示される。このとき、編集画像表示部６１２に表示されている使えるプリ画に対する落書きは行うことができないようになっている。
【０２３０】
この状態で、図示せぬ切替ボタンが操作されるか、または、編集画像表示部６１２に表示されている使えるプリ画における撮影画像の領域がタッチペン１３２によりタッチされる等すると、図３２に示されるように、編集画像表示部６１２には、使えるプリ画に合成されている撮影画像が表示されるようになる。これにより、編集画像表示部６１２に表示されている撮影画像に対する落書きが行うことができるようになる。図３２においては、編集画像表示部６１２に表示されている撮影画像の上部に、「ペン」の編集ツール（ペンツール）による落書き６１２ａが入力されている。
【０２３１】
そして、この状態で、図示せぬ切替ボタンがさらに操作されると、図３３に示されるように、編集画像表示部６１２には、使えるプリ画が表示されるようになる。このとき、使えるプリ画に合成されている撮影画像の上部には、その撮影画像に対して入力された落書き６１２ａが反映されるようになる。
【０２３２】
なお、上述した説明において、編集画像表示部６１２に表示されている使えるプリ画に対する落書きは行うことができないものとしたが、使えるプリ画専用の編集ツールを用意し、その編集ツールを用いて使えるプリ画を編集するようにしてもよい。具体的には、例えば、図３１または図３３に示されるように、編集画像表示部６１２に表示されている使えるプリ画の合成用画像部分（すなわち、撮影画像以外の部分）の領域がタッチペン１３２によりタッチされると、使えるプリ画専用の編集ツールが表示された編集用パレット６１６が、用途情報に応じて表示されるようにしてもよい。
【０２３３】
［編集用パレットの例］
ここで、図３４乃至図４０を参照して、使えるプリ画専用の編集ツールが表示された編集用パレットの例について説明する。
【０２３４】
図３４および図３５は、用途が「お祝いメール」の使えるプリ画専用の編集ツールが表示された編集用パレットの例を示している。
【０２３５】
図３４および図３５の編集用パレットには、２つのタブとして、「名前＆日付メッセージ」タブおよび「追加メッセージ」タブが設けられており、図３４には、「名前＆日付メッセージ」タブが選択された状態の編集用パレットが、図３５には、「追加メッセージ」タブが選択された状態の編集用パレットがそれぞれ表示されている。
【０２３６】
図３４に示される、「名前＆日付メッセージ」タブが選択された状態の編集用パレットには、名前入力領域６２１、日付入力領域６２２、および差し替えメッセージ６２３−１乃至６２３−６が表示されている。
【０２３７】
名前入力領域６２１は、友達等へのグリーティングカードでもある「お祝いメール」の使えるプリ画のメッセージ部分に挿入可能な、送り先の友達の名前を入力する領域である。
【０２３８】
日付入力領域６２２は、「お祝いメール」の使えるプリ画のメッセージ部分に挿入可能な、日付を入力する領域である。
【０２３９】
差し替えメッセージ６２３−１乃至６２３−６は、「お祝いメール」の使えるプリ画のメッセージ画像を、デフォルトのものから変更するための画像である。図３４の例では、差し替えメッセージ６２３−１乃至６２３−６の６種類のメッセージ画像が表示されるようになされているが、差し替えメッセージ６２３−１以外のメッセージ画像の図示は省略するものとする。
【０２４０】
なお、図１８を参照して説明した合成用画像選択画面において選択された「お祝いメール」の合成用画像に応じて、差し替えメッセージ６２３−１乃至６２３−６のメッセージ画像が変更されるようにしてもよい。例えば、合成用画像選択画面において、「バースデーセット」の「お祝いメール」の合成用画像が選択された場合には、「バースデーセット」に対応したメッセージ画像を含む差し替えメッセージが表示され、「お祝いセット」の「お祝いメール」の合成用画像が選択された場合には、「お祝いセット」に対応したメッセージ画像を含む差し替えメッセージが表示される。
【０２４１】
図３５に示される、「追加ミニメッセージ」タブが選択された状態の編集用パレットには、ミニメッセージ６３１−１乃至６３１−８が表示されている。
【０２４２】
ミニメッセージ６３１−１乃至６３１−８は、「お祝いメール」の使えるプリ画のメッセージに、所定のメッセージを追加するために選択されるメッセージである。図３４の例では、ミニメッセージ６３１−１乃至６３１−８の８種類のメッセージが表示されるようになされているが、ミニメッセージ６３１−１以外のメッセージの図示は省略するものとする。
【０２４３】
なお、「名前＆日付メッセージ」タブおよび「追加ミニメッセージ」タブの表示の切り替えは、利用者によっていずれかが選択されることで行われるようにしてもよいが、編集画像表示部６１２に表示されている使えるプリ画の合成用画像の所定の領域が選択されることで行われるようにしてもよい。
【０２４４】
図３６乃至図３９は、用途が「ブログデコ」の使えるプリ画専用の編集ツールが表示された編集用パレットの例を示している。
【０２４５】
図３６乃至図３９の編集用パレットには、４つのタブとして、「吹き出し」タブ、「細ペン」タブ、「ミニスタ」タブ、および「ふち変え」タブが設けられており、図３６には、「吹き出し」タブが選択された状態の編集用パレットが、図３７には、「細ペン」タブが選択された状態の編集用パレットが、図３８には、「ミニスタ」タブが選択された状態の編集用パレットが、図３９には、「ふち変え」タブが選択された状態の編集用パレットがそれぞれ表示されている。
【０２４６】
図３６に示される、「吹き出し」タブが選択された状態の編集用パレットには、差し替え吹き出し６４１−１乃至６４１−８が表示されている。
【０２４７】
差し替え吹き出し６４１−１乃至６４１−８は、「ブログデコ」の使えるプリ画の吹き出し画像を、デフォルトのものから変更するための画像である。図３６の例では、差し替え吹き出し６４１−１乃至６４１−８の８種類の吹き出し画像が表示されるようになされているが、差し替え吹き出し６４１−１以外の吹き出し画像の図示は省略するものとする。また、差し替え吹き出し６４１−１乃至６４１−８には、差し替え吹き出し６４１−１として図示されているように、「おはよう」等の文言（定型文）が予め記されているものに加え、利用者が自由に文言を入力できるように、何も記されていない吹き出し画像が表示されるようにしてもよい。
【０２４８】
図３７に示される、「細ペン」タブが選択された状態の編集用パレットには、線種アイコン６５１が表示されている。
【０２４９】
線種アイコン６５１は、「ブログデコ」の使えるプリ画に対して落書き入力するための、いわゆるペンツールの線種を選択するためのアイコンである。「ブログデコ」の使えるプリ画のサイズは通常の編集対象画像より小さいので、線種アイコン６５１が選択されることで落書き入力される「ペン」の太さは、通常の編集対象画像に対する落書き入力に用いられる「ペン」の太さより細いものなっている。
【０２５０】
図３８に示される、「ミニスタ」タブが選択された状態の編集用パレットには、スタンプアイコン６６１乃至６６３が表示されている。
【０２５１】
スタンプアイコン６６１乃至６６３は、「ブログデコ」の使えるプリ画に対して落書き入力するための、いわゆる「スタンプ」ツールの図柄を選択するためのアイコンである。「ブログデコ」の使えるプリ画のサイズは通常の編集対象画像より小さいので、スタンプアイコン６６１乃至６６３が選択されることで落書き入力される「ミニスタンプ」の大きさは、通常の編集対象画像に対する落書き入力に用いられる「スタンプ」の大きさより小さいものなっている。
【０２５２】
図３９に示される、「ふち変え」タブが選択された状態の編集用パレットには、ふち画像６７１−１乃至６７１−６が表示されている。
【０２５３】
ふち画像６７１−１乃至６７１−６は、「ブログデコ」の使えるプリ画の縁の部分を、デフォルトのものから変更するための画像である。図３９の例では、ふち画像６７１−１乃至６７１−６の６種類のふち画像が表示されるようになされているが、ふち画像６７１−１乃至６７１−３以外のふち画像の図示は省略するものとする。
【０２５４】
図４０は、用途が「コーデアルバム」である使えるプリ画専用の編集ツールが表示された編集用パレットの例を示している。
【０２５５】
図４０の編集用パレットには、「アイテムスタンプ」タブが設けられており、アイテムスタンプアイコン６８１−１乃至６８１−１６が表示されている。
【０２５６】
アイテムスタンプアイコン６８１は、「コーデアルバム」の使えるプリ画において、利用者（被写体）の身につけている装い（服装、ネイル、化粧品、アクセサリ等の装飾品）の種類やブランド名を紹介するためのアイテムスタンプ（アイコン）である。図４０の例では、アイテムスタンプアイコン６８１−１乃至６８１−１６の１６種類のアイコンが表示されるようになされているが、アイテムスタンプアイコン６８１−１以外のアイコンの図示は省略するものとする。
【０２５７】
以上のような編集用パレットによれば、携帯送信後利用画像（使えるプリ画）に対して、その用途に応じた編集を行うことができるようになる。
【０２５８】
なお、携帯送信後利用画像（使えるプリ画）の合成用画像部分に対する編集が行われる際、図３１および図３３に示される編集画像表示部６１２において、編集可能な部分がわかるように、撮影画像部分に斜線を施したり、撮影画像部分の表示をグレースケール表示とするようにしてもよい。
【０２５９】
なお、編集処理部３０３による編集処理によって得られた編集済み画像は、通常の撮影によって得られた撮影画像であるか、携帯送信後利用画像（使えるプリ画）であるかに関わらず、利用者によって選択された編集済み画像が、印刷処理部３０４による印刷処理によってシール紙に印刷され、事後接客処理部３０５による事後接客処理としての携帯送信ゲーム処理によって携帯端末に送信される携帯送信用画像に決定される。
【０２６０】
また、印刷処理部３０４には、通常の撮影によって得られた撮影画像のみをシール紙に印刷させ、事後接客処理部３０５には、携帯送信後利用画像（使えるプリ画）のみを携帯送信用画像に決定させるようにしてもよい。
【０２６１】
これにより、利用者に、撮影時に、得られる画像が携帯端末に送信されることをより強く意識させることができ、利用者にとってより一層満足度の高い画像を提供することが可能となる。
【０２６２】
＜写真シール作成装置を含む情報管理システムの構成とその動作＞
［情報管理システムの構成例］
図４１は、上述で説明してきた写真シール作成装置１を含む情報管理システムの構成例を示している。
【０２６３】
図４１の情報管理システムは、写真シール作成装置１、携帯端末７０２、および管理サーバ７０３から構成される。携帯端末７０２は、写真シール作成装置１が提供するゲームを行い、シール紙を受け取る利用者が携帯している携帯電話機などの端末であり、管理サーバ７０３は、例えば写真シール作成装置１のメーカが管理するサーバである。
【０２６４】
写真シール作成装置１には、非接触型ICとの間で近接通信を行う非接触型ICリーダ／ライタ１６３が設けられ、携帯端末７０２には非接触型ICが内蔵されている。図４１の情報管理システムにおいて、写真シール作成装置１と携帯端末７０２の間の情報の送受信は、携帯端末７０２が写真シール作成装置１のリーダライタにかざされたときに、非接触型ICを用いた近接通信により行われる。写真シール作成装置１と管理サーバ７０３の間、携帯端末７０２と管理サーバ７０３の間の情報の送受信は、インターネットなどの通信ネットワークを介して行われる。
【０２６５】
管理サーバ７０３においては、携帯端末７０２の利用者による写真シール作成装置１の利用によって得られた画像（携帯送信用画像）が、その画像を管理するための画像管理情報に基づいて管理されている。
【０２６６】
［管理サーバの構成例］
図４２は、管理サーバ７０３の構成例を示すブロック図である。
【０２６７】
CPU(Central Processing Unit)７１１、ROM７１２、RAM７１３は、バス７１４により相互に接続される。
【０２６８】
バス７１４には、さらに、入出力インタフェース７１５が接続される。入出力インタフェース７１５には、キーボード、マウスなどよりなる入力部７１６、ディスプレイ、スピーカなどよりなる出力部７１７が接続される。また、入出力インタフェース７１５には、ハードディスクや不揮発性のメモリなどより構成され、各種の情報を記憶する記憶部７１８、ネットワークインタフェースなどより構成され、写真シール作成装置１や携帯端末７０２と通信を行う通信部７１９、リムーバブルメディア７２１を駆動するドライブ７２０が接続される。
【０２６９】
記憶部７１８には、写真シール作成装置１から送信されてきた携帯送信用画像、その携帯送信用画像を管理するための画像管理情報、管理サーバ７０３が管理する各種のサイトの情報などが記憶される。
【０２７０】
図４３は、管理サーバ７０３の機能構成例を示すブロック図である。図４３に示す機能部のうちの少なくとも一部は、図４２のCPU７１１により所定のプログラムが実行されることによって実現される。管理サーバ７０３においては、携帯送信用画像管理部７３１、情報管理部７３２、およびサービス提供部７３３が実現される。
【０２７１】
携帯送信用画像管理部７３１は、写真シール作成装置１から送信されてきたサーバ送信用画像を取得し、サーバ送信用画像のうち、携帯送信用画像として選択された画像を携帯送信用画像IDに基づいて特定する。携帯送信用画像管理部７３１は、携帯送信用画像に、保存先となるURL（Uniform Resource Locator）を割り当て、記憶部７１８に携帯送信用画像を記憶させる。携帯送信用画像管理部７３１は、通信部７１９を制御し、保存先URLを含む電子メールを携帯端末７０２に送信する。保存先URLは、携帯端末７０２が、記憶部７１８に記憶された携帯送信用画像にアクセスし、利用者に提示するためのアクセス情報となる。また、携帯送信用画像管理部７３１は、画像管理情報に基づいて、携帯送信用画像を管理する。
【０２７２】
情報管理部７３２は、携帯送信用画像管理部７３１が携帯送信用画像を管理するための画像管理情報を記憶部７１８に記憶させ、携帯端末IDと紐付けて管理する。サービス提供部７３３は、各種のサイトを管理し、サイトにアクセスしてきた携帯端末７０２に対して各種のサービスを提供する。写真シール作成装置１との通信、および携帯端末７０２との通信は、それぞれ、携帯送信用画像管理部７３１、情報管理部７３２、サービス提供部７３３により通信部７１９が制御されることによって行われる。
【０２７３】
［携帯端末の構成例］
図４４は、携帯端末７０２の構成例を示すブロック図である。
【０２７４】
携帯端末７０２は、制御部７４１、アンテナ７４２、通信部７４３、記憶部７４４、表示部７４５、非接触型IC７４６、および操作部７４７から構成される。
【０２７５】
制御部７４１は、CPU，ROM，RAMなどよりなり、所定のプログラムを実行し、携帯端末７０２の全体の動作を制御する。例えば、制御部７４１は、通信部７４３を制御して管理サーバ７０３と通信を行い、非接触型IC７４６を制御して写真シール作成装置１と通信を行う。
【０２７６】
通信部７４３は、基地局から送信された電波が受信されることに応じてアンテナ７４２から供給された信号の復調処理を行い、復調処理を行うことによって得られた情報を制御部７４１に出力する。また、通信部７４３は、制御部７４１から供給された情報に対して変調処理を施し、得られた信号をアンテナ７４２から送信する。
【０２７７】
記憶部７４４はフラッシュメモリなどよりなり、携帯端末ID、メールアドレス、管理サーバ７０３からダウンロードされた携帯送信用画像などの各種の情報を記憶する。
【０２７８】
表示部７４５はLCDなどよりなり、各種の情報を表示する。例えば表示部７４５には、管理サーバ７０３から送信され、通信部７４３において受信された携帯送信用画像が表示される。
【０２７９】
非接触型IC７４６は、写真シール作成装置１の非接触型ICリーダ／ライタ１６３との通信可能範囲にあるとき、非接触型ICリーダ／ライタ１６３と近接通信を行う。
【０２８０】
操作部７４７は、各種のボタンや表示部７４５に重ねて設けられたタッチパネルより構成され、利用者の操作の内容を表す信号を制御部７４１に出力する。
【０２８１】
＜情報管理システムの動作＞
次に、図４５のフローチャートを参照して、写真シール作成装置１において得られた携帯送信用画像を、管理サーバ７０３に提供し、携帯端末７０２に送信するまでの一連の処理について説明する。
【０２８２】
なお、図４５のフローチャートにおけるステップＳ１１１乃至Ｓ１１６，Ｓ１２４の処理は、図１２のフローチャートにおけるステップＳ１乃至Ｓ８の処理と同様であるので、その説明は省略する。言い換えると、図４５のフローチャートにおけるステップＳ１１７乃至Ｓ１２３の処理は、図１２のフローチャートにおけるステップＳ７の事後接客処理に対応する。
【０２８３】
タブレット内蔵モニタ１６１に表示される、事後接客処理として行われる携帯送信ゲーム処理の開始ボタンが選択されると、ステップＳ１１７において、事後接客処理部３０５は、携帯送信ゲーム処理を開始する。なお、以下で説明する携帯送信ゲーム処理においては、最大１枚の画像を携帯端末に送信することができるものとするが、携帯端末に送信される画像の枚数は１枚に限られない。
【０２８４】
ステップＳ１１８において、事後接客処理部３０５は、記憶部２０２から編集済み画像を読み出し、その編集済み画像をサーバ送信用画像として、それぞれのサーバ送信用画像にIDを設定する。事後接客処理部３０５は、サーバ送信用画像IDとサーバ送信用画像を管理サーバ３に送信する。
【０２８５】
管理サーバ７０３においては、ステップＳ１３１において、携帯送信用画像管理部７３１が、写真シール作成装置１から送信されてきたサーバ送信用画像とサーバ送信用画像IDを受信し、それぞれを対応付けて記憶部７１８に記憶させる。
【０２８６】
なお、写真シール作成装置１から管理サーバ７０３に送信されるサーバ送信用画像には、撮影画像に対して落書き編集を行った編集済み画像の他、上述で説明した「使えるプリ画」が含まれる。使えるプリ画のサイズは、用途によっては、通常の編集済み画像のサイズと異なるが、使えるプリ画が管理サーバ７０３に送信される際には、使えるプリ画のサイズを、編集済み画像のサイズと同じサイズにして送信するようにしてもよい。
【０２８７】
さて、ステップＳ１１９において、写真シール作成装置１の事後接客処理部３０５は、タブレット内蔵モニタ１６１に、図４６乃至図４８に示されるような、携帯送信用画像選択画面を表示させ、利用者に携帯送信用画像を選択させて、利用者の選択を受け付ける。
【０２８８】
［携帯送信用画像選択画面の例１］
図４６は、携帯送信後利用画像の用途として「お祝いメール」が選択された場合の携帯送信用画像選択画面の表示例を示している。図４６の携帯送信用画像選択画面の表示例においては、携帯送信用画像として、編集済み画像７４８−１乃至７４８−６、ケータイおまけ画像７４８−７，７４８−８、「お祝いメール」の使えるプリ画に合成されている撮影画像７４８−９、および「お祝いメール」の使えるプリ画７４８−１０が表示されている。ケータイおまけ画像は、携帯端末に送信するために編集対象画像から作成された画像である。
【０２８９】
なお、上述したように、携帯送信用画像選択画面に表示される画像は、予め管理サーバ７０３に送信され記憶されている。すなわち、図４６の例では、最大１０枚の画像が、管理サーバ７０３に送信されており、携帯送信用画像選択画面において選択された画像の画像IDが、後述する処理において管理サーバ７０３に送信されることで、その画像が利用者の携帯端末に送信されるようになる。
【０２９０】
ここで、図４６の携帯送信用画像選択画面においては、携帯送信用画像として、編集済み画像７４８−１乃至７４８−６、ケータイおまけ画像７４８−７，７４８−８、および「お祝いメール」の使えるプリ画に合成されている撮影画像７４８−９の９枚のうちの１枚が選択され、その画像の画像ID（携帯送信用画像ID）が、管理サーバ７０３に送信される。さらに、携帯送信用画像として、どの画像が選択されたかに関わらず、「お祝いメール」の使えるプリ画の画像IDが、管理サーバ７０３に送信されるとともに、その画像IDに対応する「お祝いメール」の使えるプリ画が、管理サーバ７０３から電子メールに添付されて携帯端末に送信される。結果として、携帯端末の利用者は、その利用者が携帯送信用画像を友達等に公開するためのサイトの会員であるかないかに関わらず、自身が選択した携帯送信用画像とともに、「お祝いメール」の使えるプリ画を取得することができる。
【０２９１】
なお、利用者が上述のサイトの会員であれば、その利用者は、そのサイトにおいて、管理サーバ７０３に送信された全ての画像を取得することができる。
【０２９２】
［携帯送信用画像選択画面の例２］
図４７は、携帯送信後利用画像の用途として「ブログデコ」が選択された場合の携帯送信用画像選択画面の表示例を示している。図４７の携帯送信用画像選択画面の表示例においては、携帯送信用画像として、編集済み画像７４９−１乃至７４９−６、ケータイおまけ画像７４９−７，７４９−８、および「ブログデコ」の使えるプリ画７４９−９が表示されている。
【０２９３】
携帯送信用画像選択画面に表示される画像は、予め管理サーバ７０３に送信され記憶されているので、図４７の例では、最大９枚の画像が、管理サーバ７０３に送信されており、携帯送信用画像選択画面において選択された画像の画像IDが、後述する処理において管理サーバ７０３に送信されることで、その画像が利用者の携帯端末に送信されるようになる。
【０２９４】
ここで、図４７の携帯送信用画像選択画面においては、携帯送信用画像として、編集済み画像７４９−１乃至７４９−６、およびケータイおまけ画像７４９−７，７４９−８の８枚のうちの１枚が選択され、その画像の画像IDが、管理サーバ７０３に送信される。さらに、携帯送信用画像として、どの画像が選択されたかに関わらず、「ブログデコ」の使えるプリ画の画像IDが、管理サーバ７０３に送信されるとともに、その画像IDに対応する「ブログデコ」の使えるプリ画が、管理サーバ７０３から電子メールに添付されて携帯端末に送信される。結果として、携帯端末の利用者は、その利用者が携帯送信用画像を友達等に公開するためのサイトの会員であるかないかに関わらず、自身が選択した携帯送信用画像とともに、「ブログデコ」の使えるプリ画を取得することができる。
【０２９５】
なお、「ブログデコ」の使えるプリ画は、一旦携帯端末に取得されれば、サイトから新たに取得する必要性がないので、管理サーバ７０３に送信されてから一定期間（例えば、管理サーバ７０３に送信されてから１週間等）を経過すると削除される。したがって、利用者が上述のサイトの会員であれば、管理サーバ７０３に送信されてから一定期間は、管理サーバ７０３には「ブログデコ」の使えるプリ画が記憶されているので、利用者は、そのサイトにおいて、管理サーバ７０３に送信された全ての画像を取得することができる。また、管理サーバ７０３に送信され記憶されてから一定期間を経過した後は、管理サーバ７０３から「ブログデコ」の使えるプリ画が削除されているので、利用者は、そのサイトにおいて、管理サーバ７０３に送信された画像のうちの、「ブログデコ」の使えるプリ画以外の画像を取得することができる。
【０２９６】
［携帯送信用画像選択画面の例３］
図４８は、携帯送信後利用画像の用途として「コーデアルバム」が選択された場合の携帯送信用画像選択画面の表示例を示している。図４８の携帯送信用画像選択画面の表示例においては、携帯送信用画像として、編集済み画像７５０−１乃至７５０−６、「コーデアルバム」の使えるプリ画（１人用画像）７５０−７，７５０−８、およびケータイおまけ画像７５０−９，７５０−１０が表示されている。
【０２９７】
携帯送信用画像選択画面に表示される画像は、予め管理サーバ７０３に送信され記憶されているので、図４８の例では、最大１０枚の画像が、管理サーバ７０３に送信されており、携帯送信用画像選択画面において選択された画像の画像IDが、後述する処理において管理サーバ７０３に送信されることで、その画像が利用者の携帯端末に送信されるようになる。
【０２９８】
ここで、図４８の携帯送信用画像選択画面においては、携帯送信用画像として、編集済み画像７５０−１乃至７５０−６、「コーデアルバム」の使えるプリ画（１人用画像）７５０−７，７５０−８、およびケータイおまけ画像７５０−９，７５０−１０の１０枚のうちの１枚が選択され、その画像の画像IDが、管理サーバ７０３に送信される。なお、「コーデアルバム」の使えるプリ画が選択されても、「コーデアルバム」の使えるプリ画の画像IDは、管理サーバ７０３に送信されるものの、その画像IDに対応する「コーデアルバム」の使えるプリ画は、管理サーバ７０３から電子メールに添付されて携帯端末に送信されることはない。
【０２９９】
なお、利用者が上述のサイトの会員であれば、その利用者は、そのサイトにおいて、管理サーバ７０３に送信された全ての画像を取得することができる。
【０３００】
また、「コーデアルバム」の使えるプリ画が２人用画像である場合には、携帯送信用画像選択画面には、９枚の画像が表示され、最大９枚の画像が、管理サーバ７０３に送信され、そのうちの１枚が携帯送信用画像として選択されるようになる。
【０３０１】
図４５のフローチャートに戻り、ステップＳ１２０において、事後接客処理部３０５は、携帯送信用画像選択画面において、利用者により選択された携帯送信用画像のID（携帯送信用画像ID）を管理サーバ７０３に送信する。
【０３０２】
管理サーバ７０３においては、ステップＳ１３２において、携帯送信用画像管理部７３１が、写真シール作成装置１から送信されてきた携帯送信用画像IDを受信する。携帯送信用画像管理部７３１は、受信した携帯送信用画像IDと同一のサーバ送信用画像IDに対応付けられているサーバ送信用画像を携帯送信用画像として記憶部７１８から読み出す。
【０３０３】
さて、ステップＳ１２１において、写真シール作成装置１の事後接客処理部３０５は、タブレット内蔵モニタ１６１にメールアドレス入力画面を表示させ、利用者による携帯端末７０２のメールアドレスの入力を受け付ける。なお、携帯端末７０２のメールアドレスの入力は、写真シール作成装置１の非接触型ICリーダ／ライタ１６３と、携帯端末７０２の非接触型IC７４６との近接通信により受け付けられるようにしてもよい。
【０３０４】
利用者によってメールアドレス入力画面に携帯端末７０２のメールアドレスが入力されると、ステップＳ１２２において、事後接客処理部３０５は、入力された携帯端末７０２のメールアドレスを管理サーバ３に送信する。
【０３０５】
管理サーバ７０３においては、ステップＳ１３３において、携帯送信用画像管理部７３１が、記憶部７１８から読み出した携帯送信用画像に対して、保存先URLを割り当て、写真シール作成装置１から送信されてきた携帯端末７０２のメールアドレスと携帯送信用画像とを対応付けて記憶部７１８に記憶させる。
【０３０６】
このとき、情報管理部２３２は、画像管理情報を生成または更新する。具体的には、携帯端末７０２の携帯端末IDに紐付けられている画像管理情報が存在しない場合、すなわち、利用者が会員登録されていない場合、情報管理部２３２は、その携帯端末IDに紐付けた画像管理情報を生成する。また、携帯端末７０２の携帯端末IDに紐付けられている画像管理情報が存在する場合、すなわち、利用者が会員登録されている場合、情報管理部２３２は、その携帯端末IDに紐付けられている画像管理情報を更新する。
【０３０７】
ここで、図４９を参照して、画像管理情報の例について説明する。
【０３０８】
図４９には、既に会員登録を行っている利用者（会員）の携帯端末の携帯端末IDに紐付けられて記憶されている画像管理情報である。
【０３０９】
図４９の画像管理情報は、画像ID、撮影日時、機器ID、付加情報から構成されている。
【０３１０】
画像IDは、携帯送信用画像を特定する情報である。撮影日時は、携帯送信用画像が写真シール作成装置１において作成された年月日を表す情報である。機器IDは、携帯送信用画像を作成した写真シール作成装置１を特定する情報である。
【０３１１】
付加情報は、携帯送信用画像に関する付加的な情報であり、図４９に示されるように、使えるプリ画の用途を表す用途情報の他、使えるプリ画に含まれるテキストデータや画像情報、携帯送信用画像が保存される保存先URL、利用者のメールアドレスや、友達として登録している利用者のメールアドレス等を含む。また、付加情報に含まれる利用者のメールアドレスや、友達として登録している利用者のメールアドレスは、利用者専用のサイトのURLや、友達専用のサイトのURLであってもよい。
【０３１２】
図４９の画像管理情報によれば、画像IDが「0001」である携帯送信用画像は、2010年12月27日に、機器ID「0A02」で特定される写真シール作成装置で、「お祝いメール」の使えるプリ画として作成されたものであり、画像IDが「0002」である携帯送信用画像は、2011年1月16日に、機器ID「0D13」で特定される写真シール作成装置で、通常の撮影画像として作成されたものであり、画像IDが「0003」である携帯送信用画像は、2011年6月1日に、機器ID「0F09」で特定される写真シール作成装置で、「ブログデコ」の使えるプリ画として作成されたものであることが示されている。
【０３１３】
さて、図４５のフローチャートに戻り、ステップＳ１２３において、写真シール作成装置１の事後接客処理部３０５は、タブレット内蔵モニタ１６１に携帯送信用画像の送信確認画面を表示させ、携帯送信用画像の送信の指示を受け付け、その旨の情報を管理サーバ７０３に送信する。
【０３１４】
管理サーバ７０３においては、ステップＳ１３４において、携帯送信用画像管理部７３１が、携帯端末７０２のメールアドレスに、ステップＳ１３３において割り当てた携帯送信用画像の保存先URLを含む電子メールを送信する。
【０３１５】
携帯端末７０２においては、ステップＳ１５１において、携帯端末７０２の制御部７４１が、管理サーバ７０３から送信されてきた、割り当てた携帯送信用画像の保存先URLを含む電子メールを受信する。
【０３１６】
ステップＳ１５２において、制御部７４１は、電子メールの内容を確認した利用者により携帯送信用画像へのアクセスが指示された場合、携帯送信用画像にアクセスするためのアクセス情報である、受信した電子メールに含まれるURLに基づいてアクセスを行う。
【０３１７】
管理サーバ７０３においては、ステップＳ１３５において、サービス提供部７３３が、携帯端末７０２からのアクセスに応じて、携帯送信用画像の保存先を指定する。
【０３１８】
ステップＳ１３６において、サービス提供部７３３は、指定された保存先の携帯送信用画像を読み出し、携帯端末７０２に送信する。
【０３１９】
携帯端末７０２においては、ステップＳ１５３において、制御部７４１が、管理サーバ７０３から送信されてきた携帯送信用画像を受信し、表示部７４５に表示させる。
【０３２０】
なお、上述した説明においては、携帯送信用画像は、携帯端末に送信されるものとしたが、携帯端末に限らず、パーソナルコンピュータ等の、利用者が所有する端末装置に送信されるようにすることができる。
【０３２１】
また、上述した説明において、ステップＳ１１９において、携帯送信用画像が選択されるときに、携帯送信用画像として、「お祝いメール」または「ブログデコ」の使えるプリ画（デフォルトで送信）と、通常の撮影画像の２枚が選択された場合、ステップＳ１３４において、通常の撮影画像の保存先URLを含む電子メールと、使えるプリ画が添付された電子メールの、２通の電子メールが携帯端末７０２に送信されるようにしてもよい。
【０３２２】
図５０は、携帯送信用画像として、「お祝いメール」の使えるプリ画と通常の撮影画像の２枚が選択された場合に携帯端末７０２に送信される電子メールについて説明する図である。
【０３２３】
図５０Ａには、１通目の電子メールとしての、通常の撮影画像の保存先URLを含む電子メールm1が示されている。図５０Ａにおいて、電子メールm1の本文中の所定のリンクが選択されると、携帯端末７０２の表示部７４５には、その会員専用のサイトのトップページに、携帯送信用画像としての撮影画像と、「お祝いメールをGET」と記された、使えるプリ画をダウンロードするためのリンクが表示される。このリンクは、電子メールm1の本文中に含まれていてもよい。
【０３２４】
図５０Ｂには、２通目の電子メールとしての、「お祝いメール」の使えるプリ画が添付された電子メールm2が示されている。電子メールm2の本文中には、「お祝いメール」の使えるプリ画に合成されている撮影画像Picm2と、デコ画像としての合成用画像とが表示されている。なお、電子メールm2のタイトルTm2には、電子メールm2の本文中に示される「お祝いメール」の使えるプリ画が、どのようなセット（「バースデーセット」、「お祝いセット」等）であるかと、その使えるプリ画が作成された写真シール作成装置１の筐体名（機種名）とを利用者に報知するタイトルが入力されているものとする。具体的には、例えば、「バースデーセット」の「お祝いメール」の使えるプリ画が添付された電子メールm2のタイトルTm2には、“お誕生日メールが届いたよ！（筐体名）”等といったタイトルが入力されている。
【０３２５】
図５１は、携帯送信用画像として、「ブログデコ」の使えるプリ画と通常の撮影画像の２枚が選択された場合に携帯端末７０２に送信される電子メールについて説明する図である。
【０３２６】
図５１Ａには、１通目の電子メールとしての、通常の撮影画像の保存先URLを含む電子メールm1が示されている。図５１Ａにおいて、電子メールm1の本文中の所定のリンクが選択されると、携帯端末７０２の表示部７４５には、その会員専用のサイトのトップページに、携帯送信用画像としての撮影画像と、「ブログデコをGET」と記された、使えるプリ画をダウンロードするためのリンクが表示される。このリンクは、電子メールm1の本文中に含まれていてもよい。
【０３２７】
図５１Ｂには、２通目の電子メールとしての、「ブログデコ」の使えるプリ画が添付された電子メールm2が示されている。電子メールm2の本文中には、デコ画像としての「ブログデコ」の使えるプリ画Picm2と、「ブログデコ」の使えるプリ画の使い方を利用者に説明するテキスト（文章）とが表示されている。なお、電子メールm2のタイトルTm2には、電子メールm2の本文中に示される「ブログデコ」の使えるプリ画が、どのような種類（「おめでとう系」、「ラブラブ系」等）であるかと、その使えるプリ画が作成された写真シール作成装置１の筐体名（機種名）とを利用者に報知するタイトルが入力されているものとする。具体的には、例えば、「ラブラブ系」の「ブログデコ」の使えるプリ画が添付された電子メールm2のタイトルTm2には、“「ラブラブ系」のブログデコが届いたよ！（筐体名）”等といったタイトルが入力される。
【０３２８】
また、電子メールm2において、所定のコミュニティサイト（例えば、SNS（Social Network Service）等）にアクセスするためのリンクが選択されると、携帯端末７０２の表示部７４５には、そのコミュニティサイトのトップページが表示される。
【０３２９】
このようにして、利用者は、より簡単に「お祝いメール」の使えるプリ画を友達に送信したり、「ブログデコ」の使えるプリ画を自身のブログに載せることができるようになる。
【０３３０】
＜携帯端末における画面表示例＞
ここで、以下においては、上述の処理によって携帯送信用画像を受信した携帯端末における画面表示例について説明する。
【０３３１】
例えば、既に会員登録を行っている利用者（会員）の携帯端末に、使えるプリ画が携帯送信用画像として送信される場合、携帯端末７０２の表示部７４５には、図５２Ａに示されるように、その会員専用のサイトのトップページに、携帯送信用画像としての使えるプリ画のサムネイル画像７５１および使えるプリ画をダウンロードするためのリンク７５２が表示される。
【０３３２】
図５２Ａにおいて、利用者の操作によって、リンク７５２が選択されると、携帯端末７０２の表示部７４５には、図５２Ｂに示されるように、使えるプリ画７５３、および、その利用者が過去に撮影し管理サーバ７０３に保存されている携帯送信用画像を閲覧するためのリンク７５４が表示される。
【０３３３】
そして、図５２Ｂにおいて、利用者の操作によって、リンク７５４が選択されると、携帯端末７０２の表示部７４５には、図５２Ｃに示されるように、タブ７５５−１乃至７５５−４が表示される。タブ７５５−１には、「お祝いメール」の使えるプリ画が表示され、タブ７５５−２には、「ブログデコ」の使えるプリ画が表示され、タブ７５５−３には、「コーデアルバム」の使えるプリ画が表示される。また、タブ７５５−４には、使えるプリ画以外の携帯送信用画像が表示される。
【０３３４】
このとき、管理サーバ７０３のサービス提供部７３３は、携帯端末７０２の携帯端末IDに紐付けられている画像管理情報に基づいて、記憶部７１８に記憶されている携帯送信用画像を用途情報毎に読み出し、図５２Ｃのタブ７５５−１乃至７５５−４毎に表示される画像として、携帯端末７０２に提供する。
【０３３５】
以上のようにして、図５２Ｃの例においては、使えるプリ画が、その用途毎に表示されるようになる。したがって、利用者が、過去に撮影した画像を携帯端末から検索する際、撮影時に選択した使えるプリ画の用途を基に検索することができるので、所望の画像を容易に検索することができ、携帯端末の利用者の満足度を向上させることが可能となる。
【０３３６】
なお、図５２Ｂにおいて、リンク７５４が選択された後、図５３Ａに示されるように、画像表示領域７６１およびソートボタン７６２−１乃至７６２−３が表示されるようにしてもよい。画像表示領域７６１には、携帯送信用画像が、画像管理情報の撮影日時に基づいて配列されて表示されている。ソートボタン７６２−１乃至７６２−３は、画像表示領域７６１に表示されている携帯送信用画像を用途毎にソートして表示するためのボタンである。具体的には、ソートボタン７６２−１は、携帯送信用画像をソートすることで「お祝いメール」の使えるプリ画をまとめてタブ表示するためのボタンであり、ソートボタン７６２−２は、携帯送信用画像をソートすることで「ブログデコ」の使えるプリ画をまとめてタブ表示するためのボタンであり、ソートボタン７６２−３は、携帯送信用画像をソートすることで「コーデアルバム」の使えるプリ画をまとめてタブ表示するためのボタンである。
【０３３７】
すなわち、図５３Ａにおいて、利用者の操作によって、ソートボタン７６２−１が選択されると、携帯端末７０２の表示部７４５には、図５３Ｂに示されるように、図５２Ｃと同様の表示がされる。なお、図５３Ｂに示される、使えるプリ画がソートされたタブ７５５−１乃至７５５−４に加え、その近傍に、使えるプリ画を再ソートするための再ソートボタンを設けるようにしてもよい。
【０３３８】
また、図５３Ａにおいて、利用者の操作によって、ソートボタン７６２−１乃至７６２−３のいずれかが選択された後、図５３Ｂに示されるようなタブは表示させずに、選択されたソートボタンの用途の画像群を表示させるとともに、その画像群の近傍に、選択されたソートボタン以外の用途に対応するソートボタンを表示させるようにしてもよい。
【０３３９】
なお、会員登録を行っていない利用者（非会員）の携帯端末には、使えるプリ画が携帯送信用画像として送信されない。具体的には、非会員の操作によって、非会員の携帯端末に使えるプリ画を携帯送信用画像として送信しようとした場合、管理サーバ７０３のサービス提供部７３３は、使えるプリ画に対応する撮影画像と、会員登録サイトのURLを携帯端末７０２に送信する。
【０３４０】
これにより、使えるプリ画を受信しようとした非会員の携帯端末７０２の表示部７４５には、図５４に示されるように、非会員用サイトのページに、使えるプリ画に対応する撮影画像のサムネイル画像７７１および会員登録ページへのリンク７７２が表示される。これにより、非会員に対して、会員登録すれば使えるプリ画をダウンロードすることができることをアピールすることができる。
【０３４１】
ところで、会員登録を行っている利用者（会員）の携帯端末に送信された使えるプリ画が、「お祝いメール」の使えるプリ画である場合には、その使えるプリ画は、利用者によってその友達の携帯端末に送信される。
【０３４２】
ここで、図５５を参照して、友達の携帯端末へ送信する「お祝いメール」の使えるプリ画を、利用者に選択させるときの携帯端末の画面表示例について説明する。
【０３４３】
まず、図５５Ａに示されるように、携帯端末７０２の表示部７４５には、管理サーバ７０３に記憶されている「お祝いメール」の使えるプリ画から、友達の携帯端末へ送信する「お祝いメール」の使えるプリ画を選択するためのページへのリンク７７３、および、管理サーバ７０３に記憶されている通常の撮影画像から「お祝いメール」の使えるプリ画を作成するためのページへのリンク７７４が表示されている。
【０３４４】
図５５Ａにおいて、リンク７７３が選択されると、表示部７４５には、図５５Ｂに示されるように、「お祝いメール」の使えるプリ画を、写真シール作成装置１において作成された使えるプリ画の中から選択させるためのページへのリンク７７５、および、携帯端末７０２において作成された使えるプリ画の中から選択させるためのページへのリンク７７６が表示される。
【０３４５】
図５５Ｂにおいて、リンク７７５が選択され、かつ、利用者が写真シール作成装置１において「お祝いメール」の使えるプリ画の撮影を行ったことがある場合、表示部７４５には、図５５Ｃ上段に示されるように、写真シール作成装置１において作成された「お祝いメール」の使えるプリ画のサムネイル画像７７７−１乃至７７７−７、および決定ボタン７７８が表示される。図５５Ｃにおいては、サムネイル画像７７７−１乃至７７７−７それぞれの下側に、サムネイル画像７７７−１乃至７７７−７それぞれを選択するためのチェックボックスが設けられている。図５５Ｃ上段において、決定ボタン７７８が選択されると、サムネイル画像７７７−１乃至７７７−７において、チェックボックスにチェックマークが入れられているサムネイル画像（図５５Ｃ上段の例では、サムネイル画像７７７−１）の使えるプリ画が、友達の携帯端末へ送信する使えるプリ画として決定される。そして、表示部７４５には、図５５Ｄに示されるように、選択された使えるプリ画７８１、メールによって使えるプリ画を友達の携帯端末へ送信するためのページへのリンク７８２、および、サイトを介して使えるプリ画を友達の携帯端末へ送信するためのページへのリンク７８３が表示される。
【０３４６】
一方、図５５Ｂにおいて、リンク７７５が選択され、かつ、利用者が写真シール作成装置１において「お祝いメール」の使えるプリ画の撮影を行ったことがない場合、表示部７４５には、図５５Ｃ下段に示されるように、写真シール作成装置１において作成された「お祝いメール」の使えるプリ画が存在しない旨のメッセージと、管理サーバ７０３に記憶されている通常の撮影画像から「お祝いメール」の使えるプリ画を作成するためのページへのリンク７７９が表示されるようになる。
【０３４７】
次に、「お祝いメール」の使えるプリ画の友達の携帯端末への送信方法について説明する。
【０３４８】
（送信方法１）
図５５Ｄの表示例と同様である図５６Ａにおいて、利用者の操作によって、リンク７８２が選択されると、表示部７４５には、図５６Ｂに示されるように、管理サーバ７０３へのメール（空メール）の送信画面が表示される。利用者の操作によって、管理サーバ７０３へ空メールが送信されると、携帯端末７０２には、管理サーバ７０３から、図５６Ｃに示されるような、使えるプリ画７８１が添付されたメールが送信されてくる。そして、利用者の操作によって、その友達のメールアドレス宛てに、図５６Ｃに示されるメールが送信されることによって、友達の携帯端末には、図５６Ｄに示される、使えるプリ画７８１が添付されたメールが送信されるようになる。
【０３４９】
（送信方法２）
図５６Ａの表示例と同様である図５７Ａにおいて、利用者の操作によって、リンク７８２が選択されると、表示部７４５には、図５７Ｂに示されるように、使えるプリ画７８１がダウンロードされる管理サーバ７０３上のサイトへアクセスするためのURL７９１が本文中に記されたメールの送信画面が表示される。利用者の操作によって、その友達のメールアドレス宛てに、図５７Ｂに示されるメールが送信されると、友達の携帯端末は、図５７Ｃに示される、図５７Ｂのメールと同様のメールを受信する。そして、友達の操作によって、図５７ＣのURL７９１が選択されると、管理サーバ７０３は、使えるプリ画７８１を含むサイトのページを友達の携帯端末に提供する。これにより、友達の携帯端末の表示部には、図５７Ｄに示されるように、使えるプリ画７８１を含む画面が表示されるようになる。
【０３５０】
（送信方法３）
図５６Ａの表示例と同様である図５８Ａにおいて、利用者の操作によって、リンク７８２が選択されると、表示部７４５には、図５８Ｂに示されるように、サイト上で利用者の友達として登録されている他の利用者のサイトに、使えるプリ画７８１を提供するためのリンク８１１−１乃至８１１−４が表示される。利用者の操作によって、リンク８１１−１乃至８１１−４のうちのいずれかが選択されると、そのリンクに対応する他の利用者（友達）のサイト上に使えるプリ画７８１が保存されるとともに、その友達の携帯端末に対して、図５７Ｃに示される、使えるプリ画７８１が保存されたその友達自身のサイトへアクセスするためのURL８２１が本文中に記されたメールが送信される。そして、友達の操作によって、図５８ＣのURL８１２が選択されると、管理サーバ７０３は、使えるプリ画７８１を含むサイトのページを友達の携帯端末に提供する。これにより、友達の携帯端末の表示部には、図５８Ｄに示されるように、使えるプリ画７８１を含む画面が表示されるようになる。
【０３５１】
以上のようにして、利用者は、携帯端末７０２に送信されてきた使えるプリ画を、友達に転送することができる。
【０３５２】
このようにして友達に転送（送信）することを用途とする「お祝いメール」の使えるプリ画に含まれる友達に対するメッセージは、写真シール作成装置１において使えるプリ画が作成される際に撮影画像に合成される合成用画像、または、編集作業において選択される差し替えメッセージに応じて決定されるが、携帯端末７０２に送信された後に変更されるようにしてもよい。
【０３５３】
具体的には、利用者の操作によって、自身のサイト上に保存されている使えるプリ画のうちの１つが選択されると、図５９に示されるように、選択された使えるプリ画に含まれる撮影画像８２１とともに、メッセージ画像８２２−１乃至８２２−３が表示される。そして、利用者によって、メッセージ画像８２２−１乃至８２２−３のうちのいずれかが選択されると、サイト上に保存されている使えるプリ画のメッセージは、選択されたメッセージ画像に変更されるようになる。
【０３５４】
これにより、利用者は、写真シール作成装置１から送信されてきた使えるプリ画をより個性的なものに仕上げることができる。
【０３５５】
上述したように、携帯端末７０２に送信されてきた使えるプリ画は、友達の携帯端末に転送されるようにすることができるが、携帯端末同士の使えるプリ画のやりとりを利用者によりわかりやすく表示するようにしてもよい。
【０３５６】
図６０は、携帯端末同士の使えるプリ画のやりとりを利用者によりわかりやすく表示するようにした、表示部７４５の表示例である。
【０３５７】
図６０においては、使えるプリ画８３１の他に、タブ８３２−１，８３２−２、新着メッセージ８３３が表示されている。
【０３５８】
タブ８３２−１には、他の利用者の携帯端末より転送されてきた使えるプリ画が、他の利用者の名前（ニックネーム）とともに表示される。図６０の例では、「ゆうき」の携帯端末から転送されてきた使えるプリ画８４１−１、「まい」の携帯端末から転送されてきた使えるプリ画８４１−２、および「なおみ」の携帯端末から転送されてきた使えるプリ画８４１−３がタブ８３２−１上に表示されている。なお、図６０の例では、使えるプリ画８４１−１の上側に、その使えるプリ画が他の利用者から直近に送信されてきたことを示す新着表示８４２が表示されている。
【０３５９】
タブ８３２−２には、他の利用者の携帯端末へ転送した使えるプリ画が、他の利用者の名前（ニックネーム）とともに表示される。
【０３６０】
新着メッセージ８３３は、新着表示８４２と同様に、使えるプリ画が他の利用者から直近に送信されてきたことを示すメッセージであり、図６０の例では、「ゆうきちゃんからプリが届いたよ！」と表示されている。
【０３６１】
このような表示により、利用者は、どの使えるプリ画を誰にあげたか、または、誰からもらったかを一目で確認することができるとともに、新たに使えるプリ画をもらったことも一目で確認することができるようになる。
【０３６２】
また、図５９を参照した説明では、「お祝いメール」の使えるプリ画に含まれるメッセージ画像を変更することについて説明したが、編集作業において入力可能とされる名前や日付、追加メッセージ等の文章を編集するようにしてもよい。
【０３６３】
具体的には、図６１Ａに示されるように、使えるプリ画８５１に含まれるメッセージの文章を編集するためのリンク８５２を設けるようにする。利用者の操作によって、リンク８５２が選択されると、メッセージ編集入力画面（図示せず）が表示され、名前、日付、追加メッセージを変更・追加することができるようになる。図６１の例では、メッセージ編集入力画面において、名前に「ＹＵＫＡＲＩ」が入力（追加）されることにより、図６１Ｂに示されるように、使えるプリ画８５１に含まれるメッセージに名前８５１ａが追加されるようになる。
【０３６４】
さらに、サイト上で他の利用者の携帯端末から送信されてきた「お祝いメール」の使えるプリ画に対して、サイト上で返信できるようにしてもよい。
【０３６５】
具体的には、図６２に示されるように、使えるプリ画８６１に対する返信メールを作成するためのリンク８６２を設けるようにする。利用者の操作によって、リンク８６２が選択されると、メール編集画面（図示せず）が表示され、返信メールを作成することができるようになる。なお、図６２に示されるように、利用者が非会員である場合には、メール本文にテキストデータのみが使用可能とされるが、利用者が会員である場合には、メール本文に、テキストデータに加え動画像（動く絵文字）が使用可能とされたり、背景のデザインや書体等が特別なものとされたりする。この動く絵文字は、Flash（登録商標）形式等の所定の形式の動画像であり、もともとの「お祝いメール」の使えるプリ画、すなわち、写真シール作成装置１により作成された「お祝いメール」の使えるプリ画にも使用されるものとする。
【０３６６】
なお、サイト上で、「お祝いメール」の使えるプリ画を友達の携帯端末に転送する際や、携帯端末から送信されてきた「お祝いメール」の使えるプリ画に対して返信する場合に、送信先および送信日時を指定して自動的に使えるプリ画や返信メールを送信するようにもできる。
【０３６７】
具体的には、携帯端末７０２の表示部７４５に、使えるプリ画や返信メールの送信先や送信日時を設定する設定画面を表示するためのリンクを表示するようにする。利用者の操作によって、そのリンクが選択されると、設定画面が表示され、送信先のメールアドレスおよび所望の送信日時を入力することができるようになる。これにより、利用者に指定された送信先および送信日時に、自動的に、使えるプリ画や返信メールを送信することができるようになる。
【０３６８】
また、写真シール作成装置１から送信されてくる、図３４に示される編集用パレットの名前入力領域６２１に入力された名前や、日付入力領域６２２に入力された日付、メッセージ画像やその分類（誕生日、入学祝、母の日等）に基づいて、管理サーバ７０３は、入力された日付の当日または前日等に、利用者自身の携帯端末や利用者友達の携帯端末に対して、「お祝いメール」の使えるプリ画が添付された電子メールを送信するようにしてもよい。さらに、その電子メールのタイトル（件名）として、「お祝いメール」の使えるプリ画のメッセージ画像やその分類に応じたタイトルを付与するようにしてもよい。
【０３６９】
具体的には、例えば、写真シール作成装置１において作成された「お祝いメール」の使えるプリ画について、メッセージ画像の分類が誕生日であり、日付入力領域６２２に入力された日付が8/20である場合、管理サーバ７０３は、「お祝いメール」の使えるプリ画の撮影を行った利用者またはその友達の携帯端末に対して、8/20に、タイトルとして「お誕生日おめでとう！」の文言が付与された電子メールを送信する。
【０３７０】
以上においては、携帯端末に送信された使えるプリ画が、「お祝いメール」の使えるプリ画である場合の、携帯端末の画面表示について説明したが、以下においては、携帯端末に送信された使えるプリ画が、「ブログデコ」の使えるプリ画である場合の、携帯端末の画面表示について説明する。
【０３７１】
図５２Ａを参照して説明した場合と同様に、利用者の操作によって、携帯端末７０２の表示部７４５において、使えるプリ画をダウンロードするためのリンクが選択されると、携帯端末７０２の表示部７４５には、図６３に示されるように、使えるプリ画８７１、および、使えるプリ画に含まれる（合成された）撮影画像８７２が表示される。
【０３７２】
これにより、利用者は、メールやブログに添付するデコ画像とともに、そのデコ画像に含まれる（合成された）撮影画像を、自身の携帯端末にダウンロードすることができる。特に、「ブログデコ」の使えるプリ画のサイズは他の使えるプリ画より小さいので、利用者に対して損をさせた印象を与えかねないが、通常のサイズの撮影画像とセットでダウンロードさせるようにすることで、利用者に対して損をさせた印象を与えないようにすることができる。
【０３７３】
なお、携帯端末７０２の表示部７４５に、使えるプリ画８７１のみを表示させるようにしてもよい。これにより、携帯端末にダウンロードされるデータ容量をより少なくすることができる。
【０３７４】
また、図３９を参照して説明したように、「ブログデコ」の使えるプリ画のデザインは、編集作業において変更することができるものとしたが、携帯端末において変更することができるようにしてもよい。
【０３７５】
具体的には、図６４に示されるように、使えるプリ画８８１の他に、サンプル画像８８２−１乃至８８２−６を設けるようにする。サンプル画像８８２−１は、使えるプリ画８８１のサイズを小さくするために選択される。サンプル画像８８２−２は、使えるプリ画８８１のサイズを通常のサイズにするために選択される。サンプル画像８８２−３は、使えるプリ画８８１のサイズを大きくするために選択される。サンプル画像８８２−４は、使えるプリ画８８１の角（長方形の頂点）を、丸みを帯びた形にするために選択される。サンプル画像８８２−５は、使えるプリ画８８１の縁の部分をポラロイド写真のようにするために選択される。サンプル画像８８２−６は、使えるプリ画８８１の吹き出し部分のデザインを変更するために選択される。
【０３７６】
これにより、「ブログデコ」の使えるプリ画のデザインを携帯端末において変更することができるようになる。
【０３７７】
また、図示はしないが、図６１Ａを参照して説明したようにして、使えるプリ画８８１の吹き出し部分に含まれるメッセージの文章を編集するためのリンクを設けるようにし、利用者の操作によって、そのリンクが選択されることで、メッセージ編集入力画面が表示されるようにして、メッセージを変更・追加するようにしてもよい。
【０３７８】
以下においては、携帯端末に送信された使えるプリ画が、「コーデアルバム」の使えるプリ画である場合の、携帯端末の画面表示について説明する。
【０３７９】
図５２Ａを参照して説明した場合と同様に、利用者の操作によって、携帯端末７０２の表示部７４５において、使えるプリ画をダウンロードするためのリンクが選択されると、携帯端末７０２の表示部７４５には、図６５に示されるような、「コーデアルバム」のトップページが表示される。「コーデアルバム」のトップページにおいては、使えるプリ画８９１、その利用者の過去の「コーデアルバム」の使えるプリ画が表示されるタブ８９２、その利用者のサイトにアクセスするためのURL８９３、および、その利用者のサイトのページを他の利用者に公開していることを表す公開中表示マーク８９４が表示される。
【０３８０】
このように、他の利用者に対して自身のサイトのページを公開することで、他の利用者が自身のサイトにアクセスできるようにできるので、自身が身につけていた服やアイテムを友達に教えることができるようになる。なお、サイトの公開範囲は、不特定多数の利用者であってもよいし、サイト上で利用者の友達として登録されている他の利用者に限定してもよい。
【０３８１】
また、他の利用者（友達として登録されている他の利用者）に公開しているサイトのページ上に、図６６Ａに示されるように、リンク９１１を設けるようにしてもよい。リンク９１１は、図６６Ａに示されるページを閲覧している他の利用者により選択され、その選択された数は、管理サーバ７０３によりカウントされる。図６６Ａの例では、リンク９１１が３０回選択されたことが示されている。リンク９１１が選択されると、表示部７４５には、図６６Ｂに示されるように、リンク９１１が選択された数が多い上位３枚の使えるプリ画９１２−１乃至９１２−３が表示される。なお、リンク９１１が選択された数が最も多い使えるプリ画９１２−１が「コーデアルバム」のトップページが表示されるようにしてよい。
【０３８２】
なお、「コーデアルバム」の使えるプリ画には、写真シール作成装置または携帯端末上で、利用者が身につけていた服やアイテム（帽子、スカート、靴等）のブランド（メーカ）を、キーワードとして入力するようにもできる。
【０３８３】
例えば、図６７Ａにおいては、使えるプリ画８９１に対して、帽子のブランド名「Seciru」で、ワンピースのブランド名「HdG」で、靴のブランド「H&N」を示すキーワード９２１が入力されている。キーワード９２１のうちの１つが、利用者またはその友達によって選択されると、図６７Ｂに示されるように、その利用者の「コーデアルバム」の使えるプリ画のうちの選択されたキーワードが入力されている使えるプリ画９２２−１乃至９２２−３が表示されるようになる。図６７Ｂの例では、ブランド名「Seciru」がキーワードとして入力されている使えるプリ画９２２−１乃至９２２−３が表示されている。また、図６７Ｂに示されるように、ブランド名「Seciru」の公式ホームページへアクセスするためのリンク９２３を表示するようにしてもよい。
【０３８４】
なお、図４５のフローチャートを参照して説明した処理において、写真シール作成装置１において、利用者に、携帯端末７０２のメールアドレスを入力させることで、携帯送信用画像を携帯端末７０２に送信するようにしたが、携帯端末７０２のメールアドレスに加えて、利用者の友達が所有する携帯端末のメールアドレスを入力させることで、管理サーバ７０３が、友達の携帯端末に直接、使えるプリ画を送信するようにしてもよい。
【０３８５】
これにより、利用者は、友達に使えるプリ画を送信するために、所定のURLにアクセスしたり、メールを転送する必要なく、その友達も、転送されてきたメールから所定のURLにアクセスする必要なく、友達に対して使えるプリ画を送信することができる。
【０３８６】
また、写真シール作成装置１において出力されるシール紙の所定の領域に、使えるプリ画をダウンロードするためのサイトにアクセスできるQRコードを印刷することで、利用者に、携帯端末７０２のメールアドレスを入力させることなく、使えるプリ画を携帯端末７０２にダウンロードさせることができる。
【０３８７】
なお、携帯端末７０２に送信され表示される「使えるプリ画」は、それぞれの用途（「お祝いメール」、「ブログデコ」、「コーデアルバム」）以外の用途で用いられるようにしてももちろんよい。
【０３８８】
また、携帯端末７０２に送信された「使えるプリ画」に、上述の動く絵文字が使用されている場合、その動く絵文字は、他の用途の「使えるプリ画」や、「使えるプリ画」以外の目的で使用可能とされる。例えば、「お祝いメール」の使えるプリ画に使用されている動く絵文字を、「ブログデコ」の使えるプリ画に使用するようにしてもよいし、携帯端末７０２によって作成される電子メールやブログに使用するようにしてもよい。
【０３８９】
ところで、上述で説明した「お祝いメール」の使えるプリ画（以下、お祝いメール画像という）は、他の用途の使えるプリ画と比較して、より複数の合成用画像が撮影画像に合成されて構成されている。
【０３９０】
ここで、図６８を参照して、「お祝いメール」の使えるプリ画（お祝いメール画像）の構造について説明する。
【０３９１】
図６８に示されるお祝いメール画像１１０１は、撮影画像１１１１、メインメッセージ画像１１１２、ミニメッセージ画像１１１３、およびテンプレート画像１１１４から構成される。
【０３９２】
撮影画像１１１１は、上述した撮影処理によって得られた撮影画像、または、編集処理によって得られた編集済み画像である。
【０３９３】
メインメッセージ画像１１１２は、グリーティングカードとしてのお祝いメール画像の送信相手に対するメッセージを表す画像であり、図３４で説明した差し替えメッセージ６２３−１乃至６２３−６によって編集（変更）される。なお、図３４に示される編集用パレットにおいて、名前入力領域６２１に入力された名前と、日付入力領域６２２に入力された日付は、表示の上ではメインメッセージ画像１１１２に含まれるようになされる。また、メインメッセージ画像１１１２は、HTMLで作成されており、携帯端末７０２に送信された場合、携帯端末７０２上で、利用者により自由に編集可能になされている。
【０３９４】
ミニメッセージ画像１１１３は、メインメッセージ画像１１１２で表わされるメッセージの付加的なメッセージを表す画像であり、図３５で説明したミニメッセージ６３１−１乃至６３１−８によって編集（変更）される。
【０３９５】
テンプレート画像１１１４は、お祝いメール画像１１０１における撮影画像１１１１の形状や、お祝いメール画像１１０１の背景色を決定するための画像である。なお、テンプレート画像１１１４は、携帯端末７０２に送信された場合、携帯端末７０２上で、利用者によって自由に編集可能とされる。具体的には、例えば、図６９Ａに示されるように、テンプレート画像１１１４において、撮影画像１１１１が合成される領域を、四角形からハート形に変更するように編集されてもよいし、図６９Ｂに示されるように、テンプレート画像１１１４の背景色を変更するように編集されてもよい。
【０３９６】
このように、お祝いメール画像１１０１は、撮影画像１１１１と、合成用画像としてのメインメッセージ画像１１１２、ミニメッセージ画像１１１３、およびテンプレート画像１１１４とが合成されて構成されている。
【０３９７】
［お祝いメール画像のデータの構成例１］
次に、図７０を参照して、写真シール作成装置１から管理サーバ７０３に送信される際の、お祝いメール画像のデータの構成例について説明する。
【０３９８】
図７０に示されるお祝いメール画像１２０１は、撮影画像１２１１、メインメッセージ画像１２１２、ミニメッセージ画像１２１３、名前画像１２１４、日付画像１２１５、およびテンプレート画像１２１６から構成される。
【０３９９】
撮影画像１２１１は、図６８の撮影画像１１１１に対応し、例えば、JPEG（Joint Photographic Experts Group）符号化方式により符号化されている画像データである。撮影画像１２１１には、写真シール作成装置１から管理サーバ７０３に送信される使えるプリ画を特定するための画像IDが付加されている。なお、画像IDの詳細については、後述する。
【０４００】
メインメッセージ画像１２１２は、図６８のメインメッセージ画像１１１２に対応し、HTML形式のデータである。
【０４０１】
ミニメッセージ画像１２１３は、図６８のミニメッセージ画像１１１３に対応し、HTML形式のデータである。
【０４０２】
名前画像１２１４は、図６８のメインメッセージ画像１１１２のメッセージに含まれる送信相手の名前を表す、HTML形式のデータであり、図３４に示される編集用パレットにおいて、名前入力領域６２１に入力された名前のデータである。
【０４０３】
日付画像１２１５は、図６８のメインメッセージ画像１１１２のメッセージに含まれる日付を表す、HTML形式のデータであり、図３４に示される編集用パレットにおいて、日付入力領域６２２に入力された日付のデータである。
【０４０４】
テンプレート画像１２１６は、図６８のテンプレート画像１１１４に対応し、例えば、JPEG符号化方式により符号化されている画像データである。テンプレート画像１２１６には、図６８のお祝いメール画像１１０１における撮影画像１１１１の形状を表す形状情報と、お祝いメール画像１１０１の背景色を表す背景色情報とが付加されている。
【０４０５】
ここで、写真シール作成装置１から管理サーバ７０３に送信された使えるプリ画は、図４９を参照して説明した画像管理情報に基づいて管理されるものとしたが、以下では、より詳細な画像管理情報の例について説明するとともに、その画像管理情報に基づいて管理される使えるプリ画およびそれに関わるサービスの提供の例について説明する。
【０４０６】
［より詳細な画像管理情報の例１］
図７１は、図７０を参照して説明したお祝いメール画像のデータに基づいて生成される、より詳細な画像管理情報の例を示している。
【０４０７】
図７１の画像管理情報は、用途情報、画像ID、ミニメッセージ画像、メインメッセージ画像、メインメッセージ画像の名前、メインメッセージ画像の日付、テンプレート画像から構成されている。
【０４０８】
図７１の画像管理情報においては、用途情報は全て「お祝いメール」である。なお、用途情報、ミニメッセージ画像、メインメッセージ画像、メインメッセージ画像の名前、メインメッセージ画像の日付、テンプレート画像は、図４９の画像管理情報における付加情報に対応する。
【０４０９】
画像IDは、図７０の撮影画像１２１１に付加されて写真シール作成装置１から送信されてくる、携帯送信用画像（使えるプリ画）を特定する情報であり、図７１の画像管理情報においては、撮影日時、機器ID、および、その撮影日時、機器IDで示される年月日、写真シール作成装置１で撮影された撮影画像に対してシーケンシャルに振られる番号である連番からなる。
【０４１０】
ミニメッセージ画像は、図７０のミニメッセージ画像１２１３の分類（種類）を表す情報である。
【０４１１】
メインメッセージ画像は、図７０のメインメッセージ画像１２１２の分類（種類）を表す情報である。
【０４１２】
メインメッセージ画像の名前は、図７０の名前画像１２１４で表わされる名前であり、メインメッセージ画像の日付は、図７０の名前画像１２１４で表わされる日付である。
【０４１３】
テンプレート画像は、形状および色味からなる。形状は、図７０のテンプレート画像１２１６に付加されて写真シール作成装置１から送信されてくる形状情報であり、色味は、図７０のテンプレート画像１２１６に付加されて写真シール作成装置１から送信されてくる背景色情報である。
【０４１４】
また、図７１の画像管理情報は、利用者の所有する携帯端末７０２の携帯端末IDおよびメールアドレスに紐付けられているものとする。
【０４１５】
このように、管理サーバ７０３の情報管理部７３２は、図７０に示される、写真シール作成装置１から送信されてくるお祝いメール画像のデータに基づいて、図７１に示される画像管理情報を生成し、管理する。具体的には、情報管理部７３２は、お祝いメール画像を、そのお祝いメール画像を構成する撮影画像と、複数の合成用画像を表示するための表示データとに分けて対応付けて管理する。なお、撮影画像は、管理サーバ７０３において、携帯端末７０２での表示に適したサイズに縮小されて記憶される。
【０４１６】
そして、携帯端末７０２からお祝いメール画像の読み出しが要求された場合、管理サーバ７０３のサービス提供部７３３は、携帯端末７０２からの要求に応じて、撮影画像に対応付けられている表示データを変更し、変更した表示データにより表示される合成用画像に撮影画像を合成したお祝いメール画像を利用者に提示することで、お祝いメール画像を利用したサービスを提供する。具体的には、お祝いメール画像自体は、撮影画像と合成用画像（表示データ）とに分けて管理されているので、それぞれの画像を別個に、利用者の携帯端末上で利用させることができる。例えば、携帯端末７０２上で、お祝いメール画像の撮影画像が選択された場合には、その撮影画像に合成される合成用画像を変更可能とし、お祝いメール画像の合成用画像が選択された場合には、その合成用画像を、他の撮影画像に合成可能とする。
【０４１７】
このようにして、利用者は、携帯端末上で、お祝いメール画像に合成されている撮影画像や合成用画像を自由に組み合わせることができるようになるので、携帯端末の利用者の満足度を向上させることが可能となる。
【０４１８】
また、お祝いメール画像における撮影画像は、利用者が、お祝いメール画像として利用されることを意識して撮影することで得られたものであるので、利用者の画像を用いたオリジナリティのある装飾メールを提供することができ、携帯端末の利用者の満足度を向上させることが可能となる。
【０４１９】
なお、お祝いメール画像のデータの構成は、図７０に示されたものに限られない。
【０４２０】
［お祝いメール画像のデータの構成例２］
ここで、図７２を参照して、写真シール作成装置１から管理サーバ７０３に送信される際の、お祝いメール画像のデータの他の構成例について説明する。
【０４２１】
図７２に示されるお祝いメール画像１４０１は、合成画像１４１１、メインメッセージ画像１４１２、名前画像１４１３、および日付画像１４１４から構成される。
【０４２２】
合成画像１４１１は、図７０の撮影画像１２１１、ミニメッセージ画像１２１３、およびテンプレート画像１２１６が合成された１枚の画像が、JPEG符号化方式により符号化されている画像データである。合成画像１４１１には、写真シール作成装置１から管理サーバ７０３に送信される使えるプリ画を特定するための画像IDと、お祝いメール画像１４０１の背景色情報とが付加されている。
【０４２３】
メインメッセージ画像１４１２、名前画像１４１３、および日付画像１４１４は、それぞれ、図７０のメインメッセージ画像１２１２、名前画像１２１４、および日付画像１２１５と同一であるので、その説明は省略する。
【０４２４】
このように、図７２に示されるお祝いメール画像１４０１は、図７０に示されるお祝いメール画像１２０１と比較して、構成される画像の数が小さいので、管理サーバ７０３における記憶容量の増大を抑制するとともに、処理の負荷を低減させることができる。
【０４２５】
［より詳細な画像管理情報の例２］
図７３は、図７２を参照して説明したお祝いメール画像のデータに基づいて生成される、より詳細な画像管理情報の他の例を示している。
【０４２６】
図７３の画像管理情報は、用途情報、画像ID、ミニメッセージ画像、メインメッセージ画像の名前、メインメッセージ画像の日付、テンプレート画像の色味から構成されている。
【０４２７】
図７３の画像管理情報において、図７１の画像管理情報と異なる点は、メインメッセージ画像、およびテンプレート画像の形状が削除された点である。
【０４２８】
なお、図７３の画像管理情報もまた、利用者の所有する携帯端末７０２の携帯端末IDおよびメールアドレスに紐付けられているものとする。
【０４２９】
このように、管理サーバ７０３の情報管理部７３２は、図７２に示される、写真シール作成装置１から送信されてくるお祝いメール画像のデータに基づいて、図７３に示される画像管理情報を生成し、管理する。具体的には、情報管理部７３２は、お祝いメール画像を、そのお祝いメール画像を構成する撮影画像（合成画像）と、複数の合成用画像とに分けて管理する。
【０４３０】
なお、上述したメインメッセージ画像およびミニメッセージ画像は、HTML形式のデータであるので、管理サーバ７０３において、メッセージ部分をテキストのみのプレーンテキスト形式に変換して記憶されるようにしてもよい。
【０４３１】
［お祝いメール画像に関わるサービスの提供の例］
次に、上述した画像管理情報に基づいて管理されるお祝いメール画像に関わるサービスの提供の例について説明する。
【０４３２】
まず、お祝いメール画像が、図７２に示されるように構成されている場合、管理サーバ７０３は、合成画像１４１１（図７２）に合成されているテンプレート画像を、透過GIF画像に変換するようにしてもよい。これにより、お祝いメール画像の背景色が半透明になるので、撮影画像やメインメッセージ画像、ミニメッセージ画像が、浮き上がったような装飾メール（お祝いメール画像）を提供することができる。
【０４３３】
同様に、お祝いメール画像が、図７２に示されるように構成されている場合、写真シール作成装置１において、テンプレート画像の色味（背景色）をWebサイトの表示に適した色とし、管理サーバ７０３は、利用者に提供するWebサイトやメールの背景色を、写真シール作成装置１から送信されてくるお祝いメール画像に含まれるテンプレート画像の背景色に変更するようにしてもよい。これにより、利用者に対して、より見栄えのよいWebサイトやメールを提供することができる。
【０４３４】
また、写真シール作成装置１において、撮影前等に、お祝いメール画像に適用するメインメッセージ画像、ミニメッセージ画像、およびテンプレート画像の候補を複数選択させ、それらの情報を管理サーバ７０３に送信させ、管理サーバ７０３は、それらの情報に基づいて、携帯端末７０２の利用者に、お祝いメール画像に適用するメインメッセージ画像、ミニメッセージ画像、およびテンプレート画像を決定させるようにしてもよい。これにより、優柔不断な性格の利用者であっても、撮影後に、お祝いメール画像に適用する合成用画像を選択することができるので、そのような利用者の満足度を高めることができるようになる。
【０４３５】
さらに、写真シール作成装置１から管理サーバ７０３に送信されるお祝いメール画像のデータを、撮影画像とテンプレート画像のみとし、管理サーバ７０３が、携帯端末７０２の利用者に対して、そのお祝いメール画像に所定のメッセージ画像を合成させるようにしてもよい。これにより、利用者は、自身で考案した画像や文言のメッセージ画像をお祝いメール画像に合成することができるので、利用者に、よりオリジナリティのあるお祝いメール画像を提供することができるようになる。
【０４３６】
また、携帯端末７０２が、例えば、他の利用者の携帯端末等からお祝いメール画像を受信し、その後、携帯端末７０２の利用者が写真シール作成装置１において撮影を行う際、管理サーバ７０３は、携帯端末７０２が受信したお祝いメール画像に合成されている合成用画像（メインメッセージ画像、ミニメッセージ画像、およびテンプレート画像）を写真シール作成装置１に供給し、利用者に提示させるようにしてもよい。
【０４３７】
具体的には、図７４に示されるように、まず、携帯端末７０２の利用者が写真シール作成装置１において撮影を行う場合、携帯端末７０２と写真シール作成装置１との間で非接触通信や赤外線通信を行うことで、写真シール作成装置１が、携帯端末７０２の携帯端末IDを取得する。
【０４３８】
次に、写真シール作成装置１は、携帯端末７０２から取得した携帯端末IDを管理サーバ７０３に送信する。管理サーバ７０３は、写真シール作成装置１からの携帯端末IDに対応付けられている画像管理情報に基づいて、携帯端末７０２が過去に受信したお祝いメール画像に合成されている合成用画像（メインメッセージ画像、ミニメッセージ画像、およびテンプレート画像）を抽出し、写真シール作成装置１に送信する。
【０４３９】
そして、写真シール作成装置１は、管理サーバ７０３からの合成用画像を、利用者に選択させ、撮影処理を行う。
【０４４０】
これにより、携帯端末７０２が受信したお祝いメール画像の中に、利用者が気に入った合成用画像が合成されているお祝いメール画像があった場合、利用者に、その合成用画像を用いた撮影を行わせることができる。さらに、その結果得られたお祝いメール画像を他の友達にも送信することができるようになる。
【０４４１】
なお、写真シール作成装置１が、管理サーバ７０３からの合成用画像を利用者に選択させる際に、その合成用画像が合成されていたお祝いメール画像が作成された写真シール作成装置１が設置されている店舗の店舗名や、写真シール作成装置１の筺体の種類を、利用者に提示させるようにしてもよい。これにより、写真シール作成装置１の利用のリピート率を向上させることができる。
【０４４２】
さらに、携帯端末７０２が、他の利用者の携帯端末等からお祝いメール画像を受信した場合、その携帯端末７０２上で、受信したお祝いメール画像に合成されている合成用画像を利用したお祝いメール画像を新たに作成させるようにしてもよいし、その合成用画像を装飾メールに利用させるようにしてもよい。
【０４４３】
また、管理サーバ７０３が、利用者毎のお祝いメール画像の送受信履歴を管理し、その送受信の回数が所定の数を超えたとき、そのときの撮影画像や、その撮影画像に特別な合成用画像を合成した画像等を、利用者の携帯端末７０２に送信するようにしてもよい。このとき、管理サーバ７０３は、利用者の携帯端末７０２に送信する画像のサイズを、携帯端末７０２の待受用画像のサイズに拡大して提供する。このように、お祝いメール画像の送受信回数に応じて、お祝いメール画像以外の画像が提供されるようになるので、利用者の、写真シール作成装置１やサイトの利用のリピート率を向上させることができる。
【０４４４】
さて、お祝いメール画像のデータの構成は、図７０や図７２に示されたものにも限られない。
【０４４５】
［お祝いメール画像のデータの構成例３］
ここで、図７５を参照して、写真シール作成装置１から管理サーバ７０３に送信される際の、お祝いメール画像のデータのさらに他の構成例について説明する。
【０４４６】
図７５に示されるお祝いメール画像１５０１は、合成画像１５１１から構成される。
【０４４７】
合成画像１５１１は、図７０の撮影画像１２１１、メインメッセージ画像１２１２、ミニメッセージ画像１２１３、名前画像１２１４、日付画像１２１５、およびテンプレート画像１２１６が合成された１枚の画像が、JPEG符号化方式により符号化されている画像データである。合成画像１５１１には、写真シール作成装置１から管理サーバ７０３に送信される使えるプリ画を特定するための画像IDと、お祝いメール画像１５０１の背景色情報とが付加されている。
【０４４８】
また、図７５の例においては、お祝いメール画像１５０１とともに、合成画像１５１１に合成されている撮影画像１５０２が、写真シール作成装置１から管理サーバ７０３に送信される。撮影画像１５０２もまた、JPEG符号化方式により符号化されている画像データである。
【０４４９】
このように、図７５に示されるお祝いメール画像１５０１は、図７０に示されるお祝いメール画像１２０１と比較して、構成される画像の数が１枚であるので、管理サーバ７０３における記憶容量の増大をより抑制するとともに、処理の負荷をより低減させることができる。
【０４５０】
［より詳細な画像管理情報の例３］
図７６は、図７５を参照して説明したお祝いメール画像のデータに基づいて生成される、より詳細な画像管理情報の他の例を示している。
【０４５１】
図７６の画像管理情報は、用途情報、画像ID、およびお祝いメール利用フラグから構成されている。
【０４５２】
なお、図７６の画像管理情報において、用途情報および画像IDは、図７１および図７３の画像管理情報における用途情報および画像IDと同様であるので、その説明は省略する。
【０４５３】
お祝いメール利用フラグは、その画像が、お祝いメール画像に合成されている画像であるか否かを表す情報である。お祝いメール利用フラグが「−」である画像は、お祝いメール画像そのものとされ、お祝いメール利用フラグが「１」である画像は、お祝いメール画像に合成されている画像とされる。
【０４５４】
ここで、図７６において、１行目の画像管理情報によって管理されている画像は、用途情報が「お祝いメール」である使えるプリ画（お祝いメール画像）であり、２行目の画像管理情報によって管理されている画像は、用途情報が「通常画像」である、携帯送信用画像としての通常の撮影画像である。また、図７６において、２行目の画像管理情報によって管理されている画像は、お祝いメール利用フラグが「１」とされ、１行目の画像管理情報によって管理されているお祝いメール画像に合成されている画像とされる。すなわち、図７６の画像管理情報によって管理されている画像は、写真シール作成装置１において、１回の撮影により生成された複数（２枚）の画像であり、互いに対応付けて管理されている。
【０４５５】
なお、図７６の画像管理情報もまた、利用者の所有する携帯端末７０２の携帯端末IDおよびメールアドレスに紐付けられているものとする。
【０４５６】
このように、管理サーバ７０３の情報管理部７３２は、図７５に示される、写真シール作成装置１において、１回の撮影により生成されたお祝いメール画像と、そのお祝いメール画像に合成されている撮影画像とに基づいて、図７６に示される画像管理情報を生成し、管理する。具体的には、情報管理部７３２は、お祝いメール画像と、そのお祝いメール画像を構成する撮影画像とを対応付けて管理するようになる。
【０４５７】
そして、携帯端末７０２からお祝いメール画像の読み出しが要求された場合、管理サーバ７０３のサービス提供部７３３は、携帯端末７０２からの要求に応じて、お祝いメール画像、または、そのお祝いメール画像を構成する撮影画像を利用者に提示することで、お祝いメール画像を利用したサービスを提供する。具体的には、例えば、お祝いメール画像を撮影した利用者本人の携帯端末７０２から要求された場合には、撮影画像のみが提示され、他の利用者（例えば、グリーティングカードとしてのお祝いメール画像の送信相手）の携帯端末７０２から要求された場合には、お祝いメール画像が提示される。このようにして、利用者は、その友達に対して、グリーティングカードとしてのお祝いメール画像を送ることができ、写真シール作成装置１で撮影を行った利用者の友達の満足度を向上させることが可能となる。
【０４５８】
また、図７５に示されるお祝いメール画像１５０１は、撮影画像と複数の合成用画像とが合成された１枚の画像であるので、上述したお祝いメール画像１２０１（図７０）やお祝いメール画像１４０１（図７２）のように、携帯端末７０２上で編集することはできないが、利用者に対して、写真シール作成装置１で作成されたお祝いメール画像と同一のお祝いメール画像を提供することができるようになる。
【０４５９】
なお、図７６に示される画像管理情報により管理されるお祝いメール画像であっても、管理サーバ７０３は、図５２乃至図５８，６０，６２を参照して説明したサービスや、利用者毎のお祝いメール画像の送受信履歴に応じたサービスを提供することは可能である。
【０４６０】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０４６１】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０４６２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０４６３】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【符号の説明】
【０４６４】
１  写真シール作成装置
１１  撮影ユニット
１２  編集部
１３  事後接客部
２０１  制御部
２０８  撮影部
２０９  編集部
２１０  事後接客部
３０２  撮影処理部
３０３  編集処理部
３０４  印刷処理部
３０５  事後接客処理部
３１１  進行制御部
３１２  撮影準備処理部
３１３  合成用画像選択制御部
３１４  ライブビュー表示制御部
３１５  撮影画像取得部
３１６  合成画像処理部
３１７  用途選択制御部
３１８  明るさ決定処理部
３１９  目サイズ決定処理部
３２０  用途情報生成部
７０２  携帯端末
７０３  管理サーバ
７３１  携帯送信用画像管理部
７３２  情報管理部
７３３  サービス提供部
【図１】
0005397709.tif 000002
【図２】
0005397709.tif 000003
【図３】
0005397709.tif 000004
【図４】
0005397709.tif 000005
【図５】
0005397709.tif 000006
【図６】
0005397709.tif 000007
【図７】
0005397709.tif 000008
【図８】
0005397709.tif 000009
【図９】
0005397709.tif 000010
【図１０】
0005397709.tif 000011
【図１１】
0005397709.tif 000012
【図１２】
0005397709.tif 000013
【図１３】
0005397709.tif 000014
【図１４】
0005397709.tif 000015
【図１５】
0005397709.tif 000016
【図１６】
0005397709.tif 000017
【図１７】
0005397709.tif 000018
【図１８】
0005397709.tif 000019
【図１９】
0005397709.tif 000020
【図２０】
0005397709.tif 000021
【図２１】
0005397709.tif 000022
【図２２】
0005397709.tif 000023
【図２３】
0005397709.tif 000024
【図２４】
0005397709.tif 000025
【図２５】
0005397709.tif 000026
【図２６】
0005397709.tif 000027
【図２７】
0005397709.tif 000028
【図２８】
0005397709.tif 000029
【図２９】
0005397709.tif 000030
【図３０】
0005397709.tif 000031
【図３１】
0005397709.tif 000032
【図３２】
0005397709.tif 000033
【図３３】
0005397709.tif 000034
【図３４】
0005397709.tif 000035
【図３５】
0005397709.tif 000036
【図３６】
0005397709.tif 000037
【図３７】
0005397709.tif 000038
【図３８】
0005397709.tif 000039
【図３９】
0005397709.tif 000040
【図４０】
0005397709.tif 000041
【図４１】
0005397709.tif 000042
【図４２】
0005397709.tif 000043
【図４３】
0005397709.tif 000044
【図４４】
0005397709.tif 000045
【図４５】
0005397709.tif 000046
【図４６】
0005397709.tif 000047
【図４７】
0005397709.tif 000048
【図４８】
0005397709.tif 000049
【図４９】
0005397709.tif 000050
【図５０】
0005397709.tif 000051
【図５１】
0005397709.tif 000052
【図５２】
0005397709.tif 000053
【図５３】
0005397709.tif 000054
【図５４】
0005397709.tif 000055
【図５５】
0005397709.tif 000056
【図５６】
0005397709.tif 000057
【図５７】
0005397709.tif 000058
【図５８】
0005397709.tif 000059
【図５９】
0005397709.tif 000060
【図６０】
0005397709.tif 000061
【図６１】
0005397709.tif 000062
【図６２】
0005397709.tif 000063
【図６３】
0005397709.tif 000064
【図６４】
0005397709.tif 000065
【図６５】
0005397709.tif 000066
【図６６】
0005397709.tif 000067
【図６７】
0005397709.tif 000068
【図６８】
0005397709.tif 000069
【図６９】
0005397709.tif 000070
【図７０】
0005397709.tif 000071
【図７１】
0005397709.tif 000072
【図７２】
0005397709.tif 000073
【図７３】
0005397709.tif 000074
【図７４】
0005397709.tif 000075
【図７５】
0005397709.tif 000076
【図７６】
0005397709.tif 000077